(57)【特許請求の範囲】
【請求項１】
無線通信システムにおけるＰＵＣＣＨリソースのマッピング方法であって、
ダウンリンクサブフレームのスケジューリング確率に基づいて、前記ダウンリンクサブフレームを第１のカテゴリー及び第２のカテゴリーに区分するステップと、
前記第１のカテゴリーに属するダウンリンクサブフレームに対応するＨＡＲＱ−ＡＣＫ情報をアップリンクサブフレームに存在する前記ＰＵＣＣＨリソースの第１のＰＵＣＣＨリソースフィールドにマッピングするステップと、
前記第２のカテゴリーに属するダウンリンクサブフレームに対応するＨＡＲＱ−ＡＣＫ情報を前記アップリンクサブフレームに存在する前記ＰＵＣＣＨリソースの第２のＰＵＣＣＨリソースフィールドにマッピングするステップと、
前記ＰＵＣＣＨリソースで前記ＨＡＲＱ−ＡＣＫ情報を送信するステップとを含み、
前記第１のカテゴリーのダウンリンクサブフレームのスケジューリング確率は前記第２のカテゴリーのダウンリンクサブフレームのスケジューリング確率より高く、
前記第２のＰＵＣＣＨリソースフィールドは前記第１のＰＵＣＣＨリソースフィールドよりＰＵＳＣＨリソースに隣接し、
前記第２のカテゴリーのダウンリンクサブフレームのうちの少なくとも一部がスケジューリングされない場合、前記第２のＰＵＣＣＨリソースフィールドのうちの少なくとも一部は前記ＰＵＳＣＨリソースとして利用可能である、方法。
【請求項２】
前記ダウンリンクサブフレームは、
前記ダウンリンクサブフレームでダウンリンクデータを受信するＵＥのアップリンク−ダウンリンク構成に基づいて前記第１のカテゴリー及び前記第２のカテゴリーに分類される、請求項１に記載の方法。
【請求項３】
前記第２のカテゴリーに属する前記ダウンリンクサブフレームに対応する前記ＨＡＲＱ−ＡＣＫ情報を前記第２のＰＵＣＣＨリソースフィールドにマッピングするステップは、
前記第２のカテゴリーに属するダウンリンクサブフレームのスケジューリング確率の降順に前記第２のカテゴリーに属する前記ダウンリンクサブフレームを分類するステップと、
前記アップリンクサブフレームで、前記分類されたダウンリンクサブフレームに対応する前記ＨＡＲＱ−ＡＣＫ情報をＰＵＳＣＨリソースからより遠く位置しているＰＵＣＣＨリソースサブフィールドから前記ＰＵＳＣＨリソースに近く位置しているＰＵＣＣＨリソースサブフィールドまで順次的にマッピングするステップを含む、請求項１に記載の方法。
【請求項４】
前記ダウンリンクサブフレームを前記第１のカテゴリー及び前記第２のカテゴリーに分類するステップは、
非トラフィック適応ＵＥのアップリンク−ダウンリンク構成によって前記アップリンクサブフレームのバンドリングウィンドウ内のダウンリンクサブフレームから前記第１のカテゴリーに対応する第１のサブフレーム集合を生成するステップを含み、
前記第１のカテゴリーに属するダウンリンクサブフレームに対応するＨＡＲＱ−ＡＣＫ情報を前記第１のＰＵＣＣＨリソースフィールドにマッピングするステップは、
前記第１のサブフレーム集合に属しているダウンリンクサブフレームのＨＡＲＱ−ＡＣＫ情報を運搬するＰＵＣＣＨリソースを前記第１のＰＵＣＣＨリソースフィールドに適用するステップを含み、
前記第２のカテゴリーに属するダウンリンクサブフレームに対応するＨＡＲＱ−ＡＣＫ情報を前記第２のＰＵＣＣＨリソースフィールドにマッピングするステップは、
前記第１のサブフレーム集合に属していないダウンリンクサブフレームのＨＡＲＱ−ＡＣＫ情報を運搬するＰＵＣＣＨリソースを前記第２のＰＵＣＣＨリソースフィールドに適用するステップを含む、請求項１に記載の方法。
【請求項５】
非トラフィック適応ＵＥに対してダウンリンクサブフレームとして設定されたサブフレームに対応するダウンリンクサブフレームは、前記第１のカテゴリーに属し、前記第１のカテゴリーに属しないダウンリンクサブフレームは、前記第２のカテゴリーに属する、請求項１に記載の方法。
【請求項６】
前記ダウンリンクサブフレームを分類するステップは、
ダウンリンクサブフレームとして利用可能なサブフレームのサブフレームＩＤを決定するステップと、
より小さなウェイトを有するより高いスケジューリング確率のサブフレームと共に前記決定されたサブフレームＩＤのためのウェイトを設定するステップと、
前記第２のカテゴリーに属するダウンリンクサブフレームの分類されたシーケンスを得るために前記サブフレームＩＤの前記ウェイトの昇順に、前記第２のカテゴリーに属する前記サブフレームを分類するステップとを含む、請求項３に記載の方法。
【請求項７】
前記ウェイトを設定するステップは、
ダウンリンク関連集合に存在するエレメントの関数で前記サブフレームに対するウェイトのセットを表現するステップと、前記エレメントの前記関数を用いて前記ダウンリンク関連集合で前記第２のカテゴリーのサブフレームに対応するエレメントのウェイトを決定するステップを含む、請求項６に記載の方法。
【請求項８】
前記ダウンリンクサブフレームを分類するステップは、
サブフレームＩＤの昇順に前記第２のカテゴリーに属する前記サブフレームで第１の分類を遂行するステップと、
前記第２のカテゴリーに属する前記サブフレームが特定（special）サブフレームを含む場合、第１の特定サブフレームから開始する前記第１の分類後に得られるシーケンスの左側で左側方向のサイクリックシフトを遂行することによって、前記第２のカテゴリーに属するサブフレームの分類されたシーケンスを獲得するステップと、
前記第２のカテゴリーに属する前記サブフレームが非特定サブフレームを含む場合、前記第２のカテゴリーに属するサブフレームの分類されたシーケンスを得るために前記第１の分類後に得られる前記シーケンスを反転（reversing）するステップとを含む、請求項３に記載の方法。
【請求項９】
前記ダウンリンクサブフレームを分類するステップは、
ダウンリンクサブフレームまたはダウンリンクサブフレームの部分の分類されたシーケンスとして利用可能なサブフレームのサブフレームＩＤの分類されたシーケンスを含む基地局から指示をシグナリングする上位階層を獲得するステップと、
前記第２のカテゴリーに属するサブフレームの分類されたシーケンスを得るために指示をシグナリングする前記上位階層で前記分類されたシーケンスによって前記第２のカテゴリーのサブフレームを分類するステップとを含む、請求項３に記載の方法。
【請求項１０】
前記ダウンリンクサブフレームを分類するステップは、
各アップリンク−ダウンリンク構成に対するダウンリンク関連集合でダウンリンク関連エレメントの順序を予め設定するステップを含み、前記ダウンリンク関連エレメントは、
前記ダウンリンク関連エレメントに対応するダウンリンクサブフレームのスケジューリング確率の降順であり、
前記予め設定された順序に基づいて現在アップリンク−ダウンリンク構成に対応するダウンリンク関連エレメントの順序を決定するステップと、前記現在アップリンク−ダウンリンク構成に対応する前記ダウンリンク関連エレメントから前記第２のカテゴリーに属する前記ダウンリンクサブフレームに対応するダウンリンク関連エレメントを選択するステップと、選択された前記ダウンリンク関連エレメントの前記順序によって前記第２のカテゴリーの前記ダウンリンクサブフレームを分類するステップとを含む、請求項３に記載の方法。
【請求項１１】
前記第２のカテゴリーに属している前記分類されたダウンリンクサブフレームに対応するＨＡＲＱ−ＡＣＫ情報をマッピングするステップは、
【数１】
0006386445.tif 000076
に基づいて、前記第２のカテゴリーに属するサブフレームの分類されたシーケンス｛ｓ０，ｓ１，…，ｓＮ｝でサブフレームｓｍのＨＡＲＱ−ＡＣＫ情報をＰＵＣＣＨリソースにマッピングするステップを含み、
ここで、
【数２】
0006386445.tif 000077
は、サブフレームｓｍでＰＤＣＣＨを送信するための第１のＣＣＥの一連番号
【数３】
0006386445.tif 000078
に対してモジュラー演算を遂行することによって獲得され、
【数４】
0006386445.tif 000079
は、リソースの開始位置であり、
【数５】
0006386445.tif 000080
は、前記ＨＡＲＱ−ＡＣＫ情報を伝達するサブフレームｓｉに割り当てられたＰＵＣＣＨリソースの個数の推定された値である、請求項３に記載の方法。
【請求項１２】
前記第２のカテゴリーの分類されたダウンリンクサブフレームに対応する前記ＨＡＲＱ−ＡＣＫ情報をマッピングするステップは、
前記第２のカテゴリーに属するサブフレームの分類されたシーケンス｛ｓ０，ｓ１，…、ｓＮ｝でサブフレームｓｍのＨＡＲＱ−ＡＣＫ情報をＰＵＣＣＨリソース
【数６】
0006386445.tif 000081
にマッピングするステップを含み、
【数７】
0006386445.tif 000082
は、サブフレームｓｍでＰＤＣＣＨを送信する第１のＣＣＥの一連番号
【数８】
0006386445.tif 000083
に対してモジュラー演算を遂行して獲得され、
【数９】
0006386445.tif 000084
は、前記ＰＵＣＣＨリソースの開始位置であり、
【数１０】
0006386445.tif 000085
は、前記ＨＡＲＱ−ＡＣＫ情報を伝達する各サブフレームｓｉに割り当てられたＰＵＣＣＨリソースの全世界的に特定された個数の推定値である、請求項３に記載の方法。
【請求項１３】
前記
【数１１】
0006386445.tif 000086
は、サブフレームｓｉでＣＣＥの個数であるか、あるいは、サブフレームｓｉで前記ＣＣＥの個数の推定された値であり、
前記サブフレームｓｉでＣＣＥの前記個数の前記推定された値は、
ＯＦＤＭ制御シンボルの推定された個数を使用して獲得されたＣＣＥの前記個数をＣＣＥの前記個数の推定された値として適用するか、あるいは、ＯＦＤＭ制御シンボルの前記個数を前記ＣＣＥの個数と関連させる関数で予め設定し、ＣＣＥの前記個数の前記推定された値を前記予め設定された関数とＯＦＤＭ制御シンボルの推定された個数を使用して決定することによって決定され、ＯＦＤＭ制御シンボルの前記推定された個数は、サブフレームｓｉで利用可能なＯＦＤＭ制御シンボルの最大個数であるか、あるいは上位階層シグナリング指示により知らせる、請求項１１に記載の方法。
【請求項１４】
前記予め設定された関数は
【数１２】
0006386445.tif 000087
により表現され、ｃは、ＯＦＤＭ制御シンボルの推定された個数であり、
【数１３】
0006386445.tif 000088
は、ダウンリンクリソースブロックの個数であり、
【数１４】
0006386445.tif 000089
は、各リソースブロックに含まれているキャリアの個数である、請求項１３に記載の方法。
【請求項１５】
前記
【数１５】
0006386445.tif 000090
は、前記第２のカテゴリーの前記全てのサブフレームで前記ＣＣＥの前記個数の推定された値であり、
前記第２のカテゴリーに属する前記ダウンリンクサブフレームのＣＣＥの前記個数の前記推定された値は、
ＯＦＤＭ制御シンボルの推定された個数を使用して獲得されたＣＣＥの前記個数を前記第２のカテゴリーで全ての前記サブフレームのＣＣＥの前記個数の前記推定された値として適用するか、あるいは、前記第２のカテゴリーで前記サブフレームのＣＣＥの前記個数と共に前記ＯＦＤＭ制御シンボルの前記個数と関連させる関数を予め設定し、前記第２のカテゴリーで前記サブフレームのＣＣＥの前記個数の推定された値を前記予め設定された関数とＯＦＤＭ制御シンボルの推定された個数を使用して決定し、
前記ＯＦＤＭ制御シンボルの前記推定された個数は、前記第２のカテゴリーの前記全てのサブフレームで利用可能なＯＦＤＭ制御シンボルの最大個数であるか、あるいは上位階層シグナリング指示により指示される、請求項１２に記載の方法。
【請求項１６】
前記予め設定された関数は
【数１６】
0006386445.tif 000091
により表現され、ｃは、ＯＦＤＭ制御シンボルの推定された個数であり、
【数１７】
0006386445.tif 000092
は、ダウンリンクリソースブロックの個数であり、
【数１８】
0006386445.tif 000093
は各リソースブロックに含まれているキャリアの個数である、請求項１５に記載の方法。
【請求項１７】
前記第２のカテゴリーの前記リソースが前記第１のカテゴリーの前記リソースの直後に存在する場合、
【数１９】
0006386445.tif 000094
あるいは
【数２０】
0006386445.tif 000095
であり、
【数２１】
0006386445.tif 000096
は、非トラフィック適応的ＵＥのアップリンク−ダウンリンク構成に従う前記アップリンクサブフレームのバンドリングウィンドウ内でｉ’番目のダウンリンクサブフレームで前記ＣＣＥの個数であり、
【数２２】
0006386445.tif 000097
は、前記ＰＵＣＣＨリソースの開始位置であり、Ｍは、サブフレーム集合（ｃｏｌｌｅｃｔｉｏｎ）１に含まれているダウンリンクサブフレームの個数であり、
【数２３】
0006386445.tif 000098
は、非トラフィック適応的ＵＥのアップリンク−ダウンリンク構成に従う前記アップリンクサブフレームの前記バンドリングウィンドウで前記ダウンリンクサブフレームのうちＣＣＥの前記個数の最大値である、請求項１１に記載の方法。
【請求項１８】
前記ＰＵＣＣＨリソースの開始位置
【数２４】
0006386445.tif 000099
は、上位階層シグナリングを通して基地局により送信される、請求項１１に記載の方法。
【請求項１９】
無線通信システムに適用される、ＰＵＣＣＨのマッピングのための装置であって、
ダウンリンクサブフレームのスケジューリング確率に基づいて、ダウンリンクサブフレームを第１のカテゴリー及び第２のカテゴリーに分類し、
前記第１のカテゴリーに属するダウンリンクサブフレームに対応するＨＡＲＱ−ＡＣＫ情報をアップリンクサブフレームに存在するＰＵＣＣＨリソースの第１のＰＵＣＣＨリソースフィールドにマッピングし、
前記第２のカテゴリーに属するダウンリンクサブフレームに対応するＨＡＲＱ−ＡＣＫ情報を前記アップリンクサブフレームに存在するＰＵＣＣＨリソースの第２のＰＵＣＣＨリソースフィールドにマッピングする制御器と、
前記ＰＵＣＣＨリソースで前記ＨＡＲＱ−ＡＣＫ情報を送信する送信器とを含み、
前記第１のカテゴリーのダウンリンクサブフレームのスケジューリング確率は前記第２のカテゴリーのダウンリンクサブフレームのスケジューリング確率より高く、
前記第２のＰＵＣＣＨリソースフィールドは前記第１のＰＵＣＣＨリソースフィールドよりＰＵＳＣＨリソースに隣接し、
前記第２のカテゴリーのダウンリンクサブフレームのうちの少なくとも一部がスケジューリングされない場合、前記第２のＰＵＣＣＨリソースフィールドのうちの少なくとも一部は前記ＰＵＳＣＨリソースとして利用可能である、ＰＵＣＣＨリソースマッピング装置。
【発明の詳細な説明】
【技術分野】
【０００１】
本発明は、無線通信に関し、特にアップリンク及びダウンリンクトラフィックロード（ｔｒａｆｆｉｃ  ｌｏａｄ）での変化と共にセルのＴＤＤアップリンク−ダウンリンク（ｕｐｌｉｎｋ−ｄｏｗｎｌｉｎｋ：ＵＬ／ＤＬ）構成（ｃｏｎｆｉｇｕｒａｔｉｏｎ）がダイナミックに変更される場合、トラフィック適応的ＴＤＤシステムで物理ダウンリンク共有チャンネル（  Ｐｈｙｓｉｃａｌ  Ｄｏｗｎｌｉｎｋ  Ｓｈａｒｅｄ  Ｃｈａｎｎｅｌ：  ＰＤＳＣＨ）でのＡＣＫ（ＡＣＫｎｏｗｌｅｄｇｍｅｎｔ）及びＮＡＣＫ（Ｎｅｇａｔｉｖｅ  ＡＣＫｎｏｗｌｅｄｇｍｅｎｔ）に対するリソースマッピング方法及び装置に関する。
【背景技術】
【０００２】
ロングタームエボリューション（Ｌｏｎｇ  Ｔｅｒｍ  Ｅｖｏｌｕｔｉｏｎ；以下、ＬＴＥと称する）  は、２個のデュプレッシングモード（ｄｕｐｌｅｘｉｎｇ  ｍｏｄｅ）、すなわち周波数分割デュプレッシング（Ｆｒｅｑｕｅｎｃｙ  Ｄｉｖｉｓｉｏｎ  Ｄｕｐｌｅｘｉｎｇ：ＦＤＤ）及び時分割デュプレッシング（Ｔｉｍｅ  Ｄｉｖｉｓｉｏｎ  Ｄｕｐｌｅｘｉｎｇ：ＴＤＤ）をサポートする。図１は、ＬＴＥ  ＴＤＤシステムでフレーム（ｆｒａｍｅ）構造を示している概略的ダイアグラムである。各無線フレーム（ｒａｄｉｏ  ｆｒａｍｅ）は１０ｍｓの長さを有し、各々が５ｍｓ長さを有する２個のハーフフレーム（ｈａｌｆ−ｆｒａｍｅ）に均一に分割される。各ハーフフレームは、８個の、０．５ｍｓのタイムスロット（ｔｉｍｅ  ｓｌｏｔ）と１ｍｓの３個の特定フィールド、すなわちダウンリンクパイロットタイムスロット（Ｄｏｗｎｌｉｎｋ  ｐｉｌｏｔ  ｔｉｍｅ  ｓｌｏｔ：ＤｗＰＴＳ）、保護区間（Ｇｕａｒｄ  ｐｅｒｉｏｄ：ＧＰ）及びアップリンクパイロットタイムスロット（Ｕｐｌｉｎｋ  ｐｉｌｏｔ  ｔｉｍｅ  ｓｌｏｔ：ＵｐＰＴＳ）を含む。各サブフレームは、２個の連続したタイムスロットで構成される。
【０００３】
ＴＤＤシステムでの送信は、基地局からユーザ端末機（Ｕｓｅｒ  Ｅｑｕｉｐｍｅｎｔ：ＵＥ）への送信（ダウンリンク送信と称する）及びＵＥから基地局への送信（アップリンク送信と称する）を含む。図１に示したようなフレーム構造によれば、１０ｍｓごとにアップリンク及びダウンリンクにより共有される１０個のサブフレームが存在する。各サブフレームは、アップリンク又はダウンリンクに割り当てられることができ、アップリンクに割り当てられたサブフレームはアップリンクサブフレームと称され、ダウンリンクに割り当てられたサブフレームはダウンリンクサブフレームと称される。ＴＤＤシステムは、表１に示しているように７個のタイプのアップリンク−ダウンリンク構成をサポートし、ここで、Ｄは、ダウンリンクサブフレームを示し、Ｕは、アップリンクサブフレームを示し、Ｓは、上記３個の特定フィールドで特定のサブフレームを示す。
【０００４】
【表１】
0006386445.tif 000002
【０００５】
進歩したバージョンのＬＴＥ技術が提案され、ユーザの送信データレートを増加させている。上記進歩したバージョンのＬＴＥ  ＴＤＤシステムは、ＬＴＥと同一のＨＡＲＱ送信タイミングを有する。下記では、ＬＴＥ及び進歩したバージョンのＬＴＥでのダウンリンクデータのＨＡＲＱ送信タイミングに対して簡略に紹介する。
【０００６】
ＰＤＳＣＨのＨＡＲＱ−ＡＣＫは、物理アップリンク共有チャンネル（Ｐｈｙｓｉｃａｌ  Ｕｐｌｉｎｋ  Ｓｈａｒｅｄ  Ｃｈａｎｎｅｌ；ＰＵＳＣＨ）あるいは物理アップリンク制御チャンネル（Ｐｈｙｓｉｃａｌ  Ｕｐｌｉｎｋ  Ｃｏｎｔｒｏｌ  Ｃｈａｎｎｅｌ：ＰＵＣＣＨ）で送信され得る。上記ＰＤＳＣＨ対ＰＵＣＣＨ／ＰＵＳＣＨタイミングに関して、ＵＥがサブフレームｎでＰＵＣＣＨ／ＰＵＳＣＨでＨＡＲＱ−ＡＣＫをフィードバックすると仮定すると、上記ＰＵＣＣＨ／ＰＵＳＣＨは、ダウンリンクサブフレームｎ−ｋでＰＤＳＣＨのＨＡＲＱ−ＡＣＫ情報あるいはＳＰＳ解除（ＳＰＳ  ｒｅｌｅａｓｅ）に対するＨＡＲＱ−ＡＣＫ情報を指示する。表２は、上記
【０００７】
【数１】
0006386445.tif 000003
【０００８】
の値の定義を提供する。Ｋは、Ｍ個のエレメント｛ｋ０、ｋ１、…、ｋＭ−１｝の集まり（ｃｏｌｌｅｃｔｉｏｎ）であり、サブフレーム一連番号（ｓｕｂ−ｆｒａｍｅ  ｓｅｒｉａｌ  ｎｕｍｂｅｒ）及びＵＬ／ＤＬ構成に関連し、ダウンリンク関連集合（ｄｏｗｎｌｉｎｋ  ａｓｓｏｃｉａｔｉｏｎ  ｓｅｔ）と称される。エレメントｋは、ダウンリンク関連エレメント（ｄｏｗｎｌｉｎｋ  ａｓｓｏｃｉａｔｉｏｎ  ｅｌｅｍｅｎｔ）と称される。本発明で、ダウンリンク関連集合に対応するダウンリンクサブフレームは、短い、すなわちＫで全てのエレメントｋに対するバンドリングウィンドウ（ｂｕｎｄｌｉｎｇ  ｗｉｎｄｏｗ）と称され、ｎ−ｋで構成される収集（ｃｏｌｌｅｃｔｉｎｇ）は、バンドリングウィンドウ、
【０００９】
【数２】
0006386445.tif 000004
【００１０】
と称される。ＰＵＣＣＨサブフレームでＰＵＣＣＨリソースのピース（ｐｉｅｃｅ）は、ＨＡＲＱ−ＡＣＫをフィードバックするために、各ダウンリンクサブフレームで各ＰＤＳＣＨのために割り当てられる。
【００１１】
【表２】
0006386445.tif 000005
【００１２】
より大きな送信データレートに対する要求と共に、トラフィック適応的ＴＤＤ技術がより高いＬＴＥバージョンの議論で提案されている。上記トラフィック適応的ＴＤＤ技術は、上記アップリンクサブフレーム対ダウンリンクサブフレームの比率をダイナミックに調整し、現在のアップリンク−ダウンリンク構成が上記アップリンクトラフィックロード対ダウンリンクトラフィックロード比率とよりよく一致するように維持して、ユーザのアップリンク−ダウンリンクピークレート（ｕｐｌｉｎｋ−ｄｏｗｎｌｉｎｋ  ｐｅａｋ  ｒａｔｅ）及びシステム処理量を増加させる。
【００１３】
トラフィック適応的ＴＤＤシステムで、ＰＤＳＣＨからＰＵＣＣＨ／ＰＵＳＣＨへのタイミングに対して採択された上記ＵＬ／ＤＬ構成は、上記システムで採択された実際構成とは異なることがあり、一例で、ＵＬ／ＤＬ構成は、上位階層シグナリング（ｕｐｐｅｒ  ｌａｙｅｒ  ｓｉｇｎａｌｉｎｇ）を通して明示されることができ、ＰＤＳＣＨのＨＡＲＱ−ＡＣＫは、上記システムにより採択された上記実際ＵＬ／ＤＬ構成とは関係なしで上記ＵＬ／ＤＬ構成に対応する上記タイミングによってフィードバックされる。より多くのサブフレームでＰＤＳＣＨのＨＡＲＱ−ＡＣＫがフィードバックされるようにするために、上位階層シグナリングを通して明示される上記構成は、一般的に相対的により大きい個数のサブフレームを含む。一例で、上記明示されたＴＤＤ  ＵＬ／ＤＬ構成は、ＵＬ／ＤＬ構成２であり得、これに対して実際に採択されたＴＤＤ  ＵＬ／ＤＬ構成は、構成０、構成１、あるいは構成６であり得る。上記実際に採択された構成によりカバー（ｃｏｖｅｒ）されるダウンリンクサブフレームが上記明示された構成によりカバーされる上記ダウンリンクサブフレームのサブ集合（ｓｕｂ  ｓｅｔ）であり、上記明示された構成によりカバーされる上記全てのダウンリンクサブフレームでＰＤＳＣＨのためにフィードバックされるＨＡＲＱ−ＡＣＫのリソースは、アップリンクサブフレームで検索できるために、上記実際採択された構成によりカバーされる上記全てのダウンリンクサブフレームでＰＤＳＣＨに対してフィードバックされるＨＡＲＱ−ＡＣＫリソースは、アップリンクサブフレームで検索されることができる。したがって、上記実際採択された構成によりカバーされる全てのダウンリンクサブフレームのＨＡＲＱ−ＡＣＫは、上記実際採択された構成によりカバーされるダウンリンクサブフレームが上記明示された構成によりカバーされるダウンリンクサブフレームのサブ集合であるためにフィードバックされることができる。
【００１４】
実際には、上位バージョンＵＥと下位バージョンＵＥが共存する。上位バージョンＵＥは、上位バージョンのＬＴＥスタンダードを使用するＵＥを示し、下位バージョンＵＥは、下位バージョンのＬＴＥスタンダードを使用するＵＥを示す。一例で、上位バージョンＵＥは、ダイナミックトラフィック適応的ＴＤＤ（ｄｙｎａｍｉｃ  ｔｒａｆｆｉｃ  ａｄａｐｔｉｖｅ  ＴＤＤ）をサポートすることができ、下位バージョンＵＥは、ダイナミックトラフィック適応的ＴＤＤをサポートすることができない。ＰＤＳＣＨ対ＰＵＣＣＨ／ＰＵＳＣＨタイミングに対して、下位バージョンＵＥ及び上位バージョンＵＥは、異なるＵＬ／ＤＬ構成を採択することができる。上記採択された異なる構成によって、一つのアップリンクサブフレームは、異なるバンドリングウィンドウを採択することができ、上記一つのアップリンクサブフレームは、このアップリンクサブフレームでフィードバックされる上記ダウンリンクサブフレームのサイズである。
【００１５】
図２に示したように、サブフレームで、Ｄ及びＳはダウンリンクサブフレームを示し、Ｕはアップリンクサブフレームを示す。上位バージョンＵＥは、ＰＤＳＣＨのＨＡＲＱ−ＡＣＫをフィードバックするためのＵＬ／ＤＬ構成２のタイミング方式を採択し、下位バージョンＵＥは、ＰＤＳＣＨのＨＡＲＱ−ＡＣＫをフィードバックするためのＵＬ／ＤＬ構成０のタイミング方式を採択する。各タイミング方式によって同一のアップリンクサブフレーム２０１で、ＰＤＳＣＨのＨＡＲＱ−ＡＣＫをフィードバックする場合、上位バージョンＵＥは、点線で表示されたボックス２０２でダウンリンクサブフレームに対するＨＡＲＱ−ＡＣＫをフィードバックし、下位バージョンＵＥは、ダウンリンクサブフレーム２０３に対するＨＡＲＱ−ＡＣＫをフィードバックする。点線で表示されたボックス２０２は、バンドリングウィンドウを示す。サブフレーム２０６及び２０３は、同一の一連番号を有する。サブフレーム２０６のＨＡＲＱ−ＡＣＫは、下位バージョンＵＥのＰＵＣＣＨリソースフィールドでフィードバックされることができ、他のダウンリンクサブフレーム２０４、２０５、及び２０７のＨＡＲＱ−ＡＣＫは、他のＰＵＣＣＨリソースフィールドでフィードバックされることができる。
【００１６】
さらに、上位バージョンＵＥに対して、上位階層により明示された上記構成は、より多くのダウンリンクサブフレームをカバーすることができる。従来の方式は、上記明示された構成によりカバーされる各ダウンリンクサブフレームに対するＰＵＣＣＨリソースを予約することができ、上記実際採択された構成によりカバーされるダウンリンクサブフレームが上記明示された構成によりカバーされるダウンリンクサブフレームより少なくようにすることができ、したがって上記予約されたＰＵＣＣＨリソースの全部が使用されるわけではなく、これはＰＵＣＣＨリソースの浪費である。
【００１７】
本発明は、上位バージョンＵＥと下位バージョンＵＥとの間の互換性に関する問題及びＰＤＳＣＨのＨＡＲＱ−ＡＣＫの送信の間にＰＵＣＣＨリソースを浪費する問題に対する解決方式を提供する。
【発明の概要】
【発明が解決しようとする課題】
【００１８】
本発明の目的は、少なくとも上述した問題点及び／又は不都合に取り組み、少なくとも以下の利便性を提供することにある。すなわち、本発明の目的は、トラフィック適応的ＴＤＤシステムでＰＵＣＣＨリソースの浪費を避けることができるＰＵＣＣＨリソースマッピング方法を提供することにある。
【課題を解決するための手段】
【００１９】
上記のような目的を達成するために、本発明による技術的な方式は、次のようである。
【００２０】
サブフレームｎでＰＵＣＣＨがＨＡＲＱ−ＡＣＫ情報を伝達する無線通信システムに適用されるＰＵＣＣＨリソースマッピング方法は、サブフレームｎでＰＵＣＣＨリソースを２個のカテゴリーに区分するステップと、カテゴリー１からサブフレームのＨＡＲＱ−ＡＣＫ情報をカテゴリー１のリソースに属しているフィールドにローディングするステップと、カテゴリー２からサブフレームの全てのダウンリンクデータに対応するＨＡＲＱ−ＡＣＫ情報をスケジューリング確率の降順にＰＵＳＣＨリソースからより遠く位置しているＰＵＣＣＨリソースにマッピングされているより大きなスケジューリング確率のダウンリンクデータと共にカテゴリー２のリソースに属しているフィールドにマッピングするステップと、を含み得る。
【００２１】
望ましくは、上記カテゴリー１のリソースにローディングされるＨＡＲＱ−ＡＣＫ情報は、最初のカテゴリーからのＵＥのＨＡＲＱ−ＡＣＫ情報を含み、上記カテゴリー２のリソースにマッピングされるＨＡＲＱ−ＡＣＫ情報は、２番目のカテゴリーからのＵＥのＨＡＲＱ−ＡＣＫ情報を含み、上記最初のカテゴリーのＵＥは、上記２番目のカテゴリーのＵＥのＰＤＳＣＨ  ＨＡＲＱタイミング方式とは異なるＰＤＳＣＨ  ＨＡＲＱタイミング方式を採択し、上記カテゴリー１のサブフレームは、上記カテゴリー１のリソースにローディングされている上記ＨＡＲＱ−ＡＣＫ情報に対応するサブフレームであり、上記カテゴリー２のサブフレームは、上記カテゴリー２のリソースにローディングされている上記ＨＡＲＱ−ＡＣＫ情報に対応するサブフレームである。
【００２２】
望ましくは、上記カテゴリー２に属しているサブフレームの全てのダウンリンクデータに対応するＨＡＲＱ−ＡＣＫ情報を上記ＰＵＳＣＨリソースからより遠く位置しているＰＵＣＣＨリソースにマッピングされているより大きなスケジューリング確率のダウンリンクデータと共にフィールドにマッピングすることは、スケジューリング確率の降順に上記カテゴリー２のサブフレームを分類し、カテゴリー２に属している上記分類されたサブフレームに対応する上記ＨＡＲＱ−ＡＣＫ情報を順次的に上記ＰＵＳＣＨリソースからより遠く位置しているＰＵＣＣＨリソースから上記ＰＵＳＣＨリソースにより近く位置しているＰＵＣＣＨリソースへのＰＵＣＣＨリソースに順次的にマッピングすることを含み得る。
【００２３】
望ましくは、上記サブフレームｎでＰＵＣＣＨリソースを二つのカテゴリーに区分することは、上記最初のカテゴリーからＵＥのアップリンク−ダウンリンク構成によってサブフレームｎのバンドリングウィンドウ内で全てのダウンリンクサブフレームからサブフレーム集合１を生成し、上記サブフレーム集合１に属しているダウンリンクサブフレームのＨＡＲＱ−ＡＣＫ情報を運搬するＰＵＣＣＨリソースを上記カテゴリー１のリソースとみなし、上記サブフレーム集合１に属していないダウンリンクサブフレームのＨＡＲＱ−ＡＣＫ情報を運搬するＰＵＣＣＨリソースを上記カテゴリー２のリソースとみなすことを含み得る。
【００２４】
望ましくは、上記サブフレームｎでＰＵＣＣＨリソースを二つのカテゴリーに区分することは、上記最初のカテゴリーからＵＥのＨＡＲＱ−ＡＣＫ情報を運搬するＰＵＣＣＨリソースを上記カテゴリー１のリソースとみなし、上記２番目のカテゴリーからＵＥのＨＡＲＱ−ＡＣＫ情報を運搬するＰＵＣＣＨリソースを上記カテゴリー２のリソースとみなすことを含み得る。
【００２５】
望ましくは、上記最初のカテゴリーのＵＥは、非トラフィック適応的ＵＥであり、上記２番目のカテゴリーのＵＥは、トラフィック適応的ＵＥである。
【００２６】
望ましくは、同一のスケジューリング確率を有し、上記カテゴリー２に属しているサブフレームは任意の順序に配列されることができる。
【００２７】
望ましくは、上記カテゴリー２のサブフレームがダウンリンクサブフレームであるＴＤＤアップリンク−ダウンリンク（ＵＬ／ＤＬ）構成の個数及び／又は、上記カテゴリー２のサブフレームがダウンリンクサブフレームであるＵＬ／ＤＬ構成が採択される確率でカテゴリー２に属している各サブフレームのスケジューリング確率を決定することができ、上記カテゴリー２のサブフレームがダウンリンクである上記ＴＤＤ  ＵＬ／ＤＬ構成が多く存在するほど、上記サブフレームのスケジューリング確率がより大きくなり、上記カテゴリー２のサブフレームがダウンリンクサブフレームである上記ＵＬ／ＤＬ構成が採択される確率がより大きくなるほど、上記サブフレームのスケジューリング確率がより大きくなる。
【００２８】
望ましくは、上記スケジューリング確率の降順に上記カテゴリー２に属しているサブフレームを分類することは、ダウンリンクサブフレームとして使用されることが有用な各サブフレームのサブフレームＩＤを決定し、スケジューリング確率の降順に上記決定されたサブフレームＩＤを分類し、上記サブフレームの分類された順序を維持する間に、ダウンリンクサブフレームとして使用されることが有用な全てのサブフレームの上記分類されたサブフレームＩＤから上記カテゴリー２のサブフレームを選択してカテゴリー２のサブフレームの分類されたシーケンスを獲得することを含み得る。
【００２９】
望ましくは、上記スケジューリング確率の降順に上記カテゴリー２に属しているサブフレームを分類することは、ダウンリンクサブフレームとして使用されることが有用な各サブフレームのサブフレームＩＤを決定することと、より小さなウェイトを有するより高いスケジューリング確率のサブフレームに上記決定されたサブフレームＩＤのそれぞれに対するウェイトを設定することと、上記サブフレームＩＤのウェイトの昇順にカテゴリー２のサブフレームを分類してカテゴリー２のサブフレームの分類されたシーケンスを獲得することを含み得る。
【００３０】
望ましくは、上記サブフレームウェイトは、ダウンリンク関連集合に含まれているエレメントの関数で表現されることができ、上記ダウンリンク関連集合に含まれている、上記カテゴリー２のサブフレームに対応するエレメントは上記関数を使用して決定されることができる。
【００３１】
望ましくは、上記カテゴリー２に属しているサブフレームをスケジューリング確率の降順に分類することは、サブフレームＩＤの昇順に上記カテゴリー２のサブフレームに対して最初の分類を遂行することと、上記カテゴリー２のサブフレームが特定サブフレームを含む場合、上記シーケンスの左側で最初の特定サブフレームから始める上記最初の分類後に獲得されるシーケンスに対して左側方向のサイクリックシフトを遂行することによってカテゴリー２のサブフレームの分類されたシーケンスを獲得することを含み得る。
【００３２】
望ましくは、上記カテゴリー２に属しているサブフレームをスケジューリング確率の降順に分類することは、ダウンリンクサブフレームあるいはダウンリンクサブフレームのパートの分類されたシーケンスとして使用されることが有用な全てのサブフレームのサブフレームＩＤの分類されたシーケンスを含む上位階層シグナリング命令をノードＢから獲得することと、上記上位階層シグナリング命令に含まれている上記分類されたシーケンスによって上記カテゴリーのサブフレームを分類してカテゴリー２のサブフレームの分類されたシーケンスを獲得することを含み得る。
【００３３】
望ましくは、上記カテゴリー２に属しているサブフレームをスケジューリング確率の降順に分類することは、各アップリンク−ダウンリンク構成に対するダウンリンク関連集合に含まれているダウンリンク関連エレメントの順序を事前設定することと、上記ダウンリンク関連エレメントは、上記ダウンリンク関連エレメントに対応するダウンリンクサブフレームのスケジューリング確率の降順に存在し、上記事前設定された順序に基づいて現在のＵＬ／ＤＬ構成に対応するダウンリンク関連エレメントの順序を決定することと、上記現在のアップリンク−ダウンリンク構成に対応する上記ダウンリンク関連エレメントから上記カテゴリー２のサブフレームに対応するダウンリンク関連エレメントを選択し、上記選択されたダウンリンク関連エレメントの順序によって上記カテゴリー２のサブフレームを分類することを含み得る。
【００３４】
望ましくは、上記カテゴリー２に属している分類されたサブフレームに対応するＨＡＲＱ−ＡＣＫ情報を順次的にＰＵＳＣＨリソースからより遠く位置するＰＵＣＣＨリソースから上記ＰＵＳＣＨリソースにより近く位置するＰＵＣＣＨリソースまでのＰＵＣＣＨリソースにマッピングすることは、カテゴリー２のサブフレームの分類されたシーケンス｛ｓ０、ｓ１、…、ｓＮ｝でサブフレームｓｍのＨＡＲＱ−ＡＣＫ情報をＰＵＣＣＨリソース
【００３５】
【数３】
0006386445.tif 000006
【００３６】
にマッピングすることを含み得、
【００３７】
【数４】
0006386445.tif 000007
【００３８】
は、サブフレームｓｍでＰＤＣＣＨを送信する上記最初のＣＣＥの一連番号
【００３９】
【数５】
0006386445.tif 000008
【００４０】
に対してモジュラー演算を遂行することによって獲得され、
【００４１】
【数６】
0006386445.tif 000009
【００４２】
は、上記カテゴリー２のリソースの開始位置であり、
【００４３】
【数７】
0006386445.tif 000010
【００４４】
は、上記ＨＡＲＱ−ＡＣＫ情報を伝達するサブフレームｓｉに割り当てられているＰＵＣＣＨリソースの個数の推定された値である。
【００４５】
望ましくは、上記カテゴリー２の分類されたサブフレームに対応するＨＡＲＱ−ＡＣＫ情報を上記ＰＵＳＣＨリソースからより遠く位置するＰＵＣＣＨリソースから上記ＰＵＳＣＨリソースにより近く位置するＰＵＣＣＨリソースまでのＰＵＣＣＨリソースに順次的にマッピングすることは、サブフレームｓｍのＨＡＲＱ−ＡＣＫ情報をカテゴリー２のサブフレームの分類されたシーケンス｛ｓ０、ｓ１、…、ｓＮ｝でＰＵＣＣＨリソース
【００４６】
【数８】
0006386445.tif 000011
【００４７】
にマッピングすることを含み得、
【００４８】
【数９】
0006386445.tif 000012
【００４９】
は、サブフレームｓｍでＰＤＣＣＨを送信する上記最初のＣＣＥの一連番号
【００５０】
【数１０】
0006386445.tif 000013
【００５１】
に対してモジュラー演算を遂行して獲得され、
【００５２】
【数１１】
0006386445.tif 000014
【００５３】
は、上記カテゴリー２のリソースの開始位置であり、
【００５４】
【数１２】
0006386445.tif 000015
【００５５】
は、上記ＨＡＲＱ−ＡＣＫ情報を伝達する各サブフレームｓｉに割り当てられたＰＵＣＣＨリソースの全世界的に明示される番号の推定値である。
【００５６】
望ましくは、上記
【００５７】
【数１３】
0006386445.tif 000016
【００５８】
は、サブフレームｓｉで上記ＣＣＥの番号であるか、あるいは、サブフレームｓｉで上記ＣＣＥの番号の推定された値である。
【００５９】
上記サブフレームｓｉで上記ＣＣＥの番号の推定された値は、ＬＴＥ  Ｒ８で定義されている方式で、ＯＦＤＭ制御シンボルの推定された個数を使用して獲得された上記ＣＣＥの番号を上記ＣＣＥの番号の推定された値とみなすか、あるいは、上記ＯＦＤＭ制御シンボルの個数を上記ＣＣＥの番号と関連させる関数で事前設定し、上記ＣＣＥの番号の推定された値を上記事前設定された関数とＯＦＤＭ制御シンボルの推定された個数を使用して決定することによって決定され、上記ＯＦＤＭ制御シンボルの推定された個数は、サブフレームｓｉで有用なＯＦＤＭ制御シンボルの最大個数であるか、あるいは上位階層シグナリング命令により指示される。
【００６０】
望ましくは、上記事前設定関数は
【００６１】
【数１４】
0006386445.tif 000017
【００６２】
望ましくは、上記
【００６３】
【数１５】
0006386445.tif 000018
【００６４】
は、上記ＣＣＥの番号の推定された値であり、上記カテゴリー２の全てのサブフレームの上記ＣＣＥの個数の推定された値は、ＬＴＥ  Ｒ８で定義されている方式で、ＯＦＤＭ制御シンボルの推定された個数を使用して獲得された上記ＣＣＥの番号をカテゴリー２で上記全てのサブフレームのＣＣＥの番号の推定された値とみなすか、あるいは、上記ＯＦＤＭ制御シンボルの個数をカテゴリー２で上記サブフレームのＣＣＥの番号と関連させる関数を事前設定し、カテゴリー２で上記サブフレームのＣＣＥの番号の推定された値を上記事前設定関数とＯＦＤＭ制御シンボルの推定された個数を使用して決定することによって決定され、上記ＯＦＤＭ制御シンボルの推定された個数は、上記カテゴリー２の全てのサブフレームで有用なＯＦＤＭ制御シンボルの最大個数であるか、あるいは上位階層シグナリング命令により指示される。
【００６５】
望ましくは、上記事前設定関数は
【００６６】
【数１６】
0006386445.tif 000019
【００６７】
望ましくは、上記カテゴリー２に属している分類されたサブフレームに対応するＨＡＲＱ−ＡＣＫ情報を順次的に上記ＰＵＳＣＨリソースからより遠く位置するＰＵＣＣＨリソースから上記ＰＵＳＣＨリソースにより近く位置するＰＵＣＣＨリソースまでのＰＵＣＣＨリソースにマッピングすることは、Ｒ８で定義されている方式で、カテゴリー２のリソースに属しているフィールドで上記カテゴリー２の分類されたサブフレームの上記ＨＡＲＱ−ＡＣＫ情報を伝達する上記ＰＵＣＣＨリソースを決定することを含み得る。
【００６８】
望ましくは、上記カテゴリー２のリソースが上記カテゴリー１のリソースの直後に存在する場合、
【００６９】
【数１７】
0006386445.tif 000020
【００７０】
であり、
【００７１】
【数１８】
0006386445.tif 000021
【００７２】
は、非トラフィック適応的ＵＥのアップリンク−ダウンリンク構成に従う上記サブフレームｎのバンドリングウィンドウ内でｉ’番目のダウンリンクサブフレームで上記ＣＣＥの番号であり、
【００７３】
【数１９】
0006386445.tif 000022
【００７４】
は、上記カテゴリー１のリソースの開始位置であり、Ｍは、上記サブフレーム集（ｃｏｌｌｅｃｔｉｏｎ）１に含まれているダウンリンクサブフレームの個数であり、
【００７５】
【数２０】
0006386445.tif 000023
【００７６】
は、非トラフィック適応的ＵＥのアップリンク−ダウンリンク構成に従う上記サブフレームｎのバンドリングウィンドウで上記ダウンリンクサブフレームのうち上記ＣＣＥの番号の最大値である。
【００７７】
望ましくは、上記基地局は上記カテゴリー２のリソースの開始位置
【００７８】
【数２１】
0006386445.tif 000024
【００７９】
は、上位階層シグナリングを通して上記ＵＥに知らせる。
【００８０】
サブフレームｎでＰＵＣＣＨがＨＡＲＱ−ＡＣＫ情報を伝達する無線通信システムに適用されるＰＵＣＣＨリソースマッピング装置は、サブフレームｎでＰＵＣＣＨリソースを２個のカテゴリーに区分し、カテゴリー１からサブフレームのＨＡＲＱ−ＡＣＫ情報をカテゴリー１のリソースに属しているフィールドにローディングし、カテゴリー２からサブフレームの全てのダウンリンクデータに対応するＨＡＲＱ−ＡＣＫ情報をスケジューリング確率の降順にＰＵＳＣＨリソースからより遠く位置するＰＵＣＣＨリソースにマッピングされているより大きなスケジューリング確率のダウンリンクデータと共に、カテゴリー２のリソースに属しているフィールドにマッピングする制御器を含む。
【００８１】
望ましくは、上記カテゴリー１のリソースにローディングされるＨＡＲＱ−ＡＣＫ情報は、最初のカテゴリーからＵＥのＨＡＲＱ−ＡＣＫ情報を含み、上記カテゴリー２のリソースにマッピングされるＨＡＲＱ−ＡＣＫ情報は、２番目のカテゴリーからのＵＥのＨＡＲＱ−ＡＣＫ情報を含み、上記最初のカテゴリーのＵＥは、上記２番目のカテゴリーのＵＥのＰＤＳＣＨ  ＨＡＲＱタイミング方式とは異なるＰＤＳＣＨ  ＨＡＲＱタイミング方式を採択し、上記カテゴリー１のサブフレームは、上記カテゴリー１のリソースにローディングされている上記ＨＡＲＱ−ＡＣＫ情報に対応するサブフレームであり、上記カテゴリー２のサブフレームは、上記カテゴリー２のリソースにローディングされている上記ＨＡＲＱ−ＡＣＫ情報に対応するサブフレームである。
【００８２】
上記のような技術的方式から、トラフィック適応的ＴＤＤシステムで、ＰＵＣＣＨリソースマッピングのための方法によれば、バンドリングウィンドウでダウンリンクサブフレームは２個のカテゴリー、すなわちカテゴリー１のサブフレームとカテゴリー２のサブフレームに分類され、カテゴリー１のサブフレームは、３ＧＰＰ  Ｒｅｌ−１０あるいは下位バージョンで定義されている上記ブロックインターリビング方法を使用してリソースマッピングを通してプロセシングされ、カテゴリー２のサブフレームはスケジューリング確率の降順に分類され、カテゴリー２の分類されたサブフレームは、順次的にリソースマッピングを通してプロセシングされ、ＰＵＣＣＨリソースがＰＵＳＣＨリソースからより遠い、より大きなスケジューリング確率を有するサブフレームに対応するようにし、ＵＬ／ＤＬ構成がダイナミックに変更される場合、上記割り当てられたＰＵＣＣＨリソースは、上記実際採択された構成によってダイナミックに調整されアップリンクサブフレームで物理リソースを顕著に節約することができるということが分かる。
【００８３】
本発明による実施形態の上記及び他の態様、特徴、及び利点は、添付の図面と共に述べる以下の詳細な説明から、一層明らかになるはずである。
【図面の簡単な説明】
【００８４】
【図１】ＬＴＥ  ＴＤＤシステムでのフレーム構造を示している概略的ダイアグラムである。
【図２】本発明により解決される問題を示している概略的ダイアグラムである。
【図３】本発明の一実施形態による異なる構成に従うダウンリンクサブフレームの分布を示している概略的ダイアグラムである。
【図４】本発明の一実施形態によるダウンリンクサブフレームの異なるリソースマッピング方式を示している概略的ダイアグラムである。
【図５】本発明の一実施形態による方法を示しているフローチャートである。
【発明を実施するための形態】
【００８５】
本発明の実施形態の上述した及び他の様相、特徴、及び利点は、添付の図面が併用された後述の詳細な説明から、より一層明らかになるだろう。
【００８６】
トラフィック適応的ＴＤＤ（ｔｒａｆｆｉｃ  ａｄａｐｔｉｖｅ  ＴＤＤ）システムで、ＰＤＳＣＨ対ＰＵＣＣＨ／ＰＵＳＣＨタイミングに対して採択された上記アップリンク−ダウンリンク（ｕｐｌｉｎｋ−ｄｏｗｎｌｉｎｋ：ＵＬ／ＤＬ）構成（ｃｏｎｆｉｇｕｒａｔｉｏｎ）は、上記システムで実際アップリンク対ダウンリンク比率と異なることができ、一例で、ＵＬ／ＤＬ構成は、上位階層シグナリング（ｕｐｐｅｒ  ｌａｙｅｒ  ｓｉｇｎａｌｉｎｇ）を通して明示されることができ、ＰＤＳＣＨのＨＡＲＱ−ＡＣＫは、上記実際アップリンク対ダウンリンク比率とは関係なしで明示される上記ＵＬ／ＤＬ構成に対応する上記タイミング方式によってフィードバックされる。
【００８７】
下記では、フレームでダウンリンクサブフレームの上記一連番号（ｓｅｒｉａｌ  ｎｕｍｂｅｒ）は、サブフレームＩＤと称する。表２に示したようなＰＤＳＣＨ対ＰＵＣＣＨ／ＰＵＳＣＨマッピング方式によれば、アップリンクサブフレームｎでＨＡＲＱ−ＡＣＫは、ダウンリンクサブフレームｎ−ｋでＰＤＳＣＨのＨＡＲＱ−ＡＣＫあるいはＳＰＳ解除のＨＡＲＱ−ＡＣＫを指示し、ここで、
【００８８】
【数２２】
0006386445.tif 000025
【００８９】
であり、Ｋは、ダウンリンク関連集合（ｄｏｗｎｌｉｎｋ  ａｓｓｏｃｉａｔｉｏｎ  ｓｅｔ）である。上記ダウンリンク関連集合に含まれているエレメントｋに対応するサブフレームのサブフレームＩＤは、ｘである。
【００９０】
【数２３】
0006386445.tif 000026
【００９１】
下記の説明では、適応的ダイナミックトラフィックをサポートするＴＤＤ  ＵＥは、トラフィック適応的ＵＥ（ｔｒａｆｆｉｃ  ａｄａｐｔｉｖｅ  ＵＥ）と称され、適応的ダイナミックトラフィックをサポートしないＴＤＤ  ＵＥは、非トラフィック適応的ＵＥ（ｎｏｎ−ｔｒａｆｆｉｃ  ａｄａｐｔｉｖｅ  ＵＥ）と称される。
【００９２】
本発明は、一つのシステムに異なるＰＤＳＣＨ  ＨＡＲＱタイミング方式に従う２個のカテゴリーのＵＥが共存する場合、ＰＵＣＣＨリソースマッピングに関する問題を議論する。一例で、最初のカテゴリーからのＵＥは、非トラフィック適応的ＵＥであり、２番目のカテゴリーからのＵＥは、トラフィック適応的ＵＥである。下記の説明は、本発明により提供される方法を示している一例としてトラフィック適応的ＵＥ及び非トラフィック適応的ＵＥを例とする。
【００９３】
まず、本発明の最初の方法についていくつの例を参照して説明する。一例で、上位階層シグナリング（ｕｐｐｅｒ  ｌａｙｅｒ  ｓｉｇｎａｌｉｎｇ）により特定されるＰＤＳＣＨ  ＨＡＲＱの上記タイミングは、構成２であり、実際構成は、構成０、１、２、６間に変更されることができ、非トラフィック適応的ＵＥには図３に示されているように、ＳＩＢ１シグナリングにより構成０のＵＬ／ＤＬ構成を使用して通知される。構成２によれば、バンドリングウィンドウ４０１４０１に含まれているダウンリンクサブフレームはバンドリングウィンドウを形成し、ＰＤＳＣＨのＨＡＲＱ−ＡＣＫはアップリンクサブフレーム４０５でフィードバックされる。バンドリングウィンドウ４０１内で、ボックス４０２に含まれているサブフレーム（すなわち、サブフレーム５及び６）は、全ての構成でダウンリンクサブフレームであり、すなわち、このようなサブフレームは常にいずれの実際構成でもダウンリンクサブフレームであり、ボックス４０３に含まれているサブフレーム（すなわち、サブフレーム４）は、常に上記図面で上記構成の上記２でダウンリンクサブフレームであり、ボックス４０４に含まれているサブフレーム（すなわち、サブフレーム８）は、上記図面で上記構成の１でダウンリンクサブフレームである。ボックス４０２に含まれている上記サブフレームは、ダウンリンクサブフレームになる最大の可能性を有し、ボックス４０１に含まれているサブフレームは、ダウンリンクサブフレームになる最小の可能性を有するということが分かる。したがって、ボックス４０２に含まれている上記サブフレームは、ダウンリンクサブフレームとしてスケジューリングされる、比較的大きい確率を有し、ボックス４０１に含まれている上記サブフレームは、ダウンリンクサブフレームとしてスケジューリングされる、比較的小さな確率を有すると見なされる。したがって、本発明の一実施形態は、ＰＵＣＣＨリソースマッピングを実行する場合、非トラフィック適応的ＵＥに対する上記ＰＵＣＣＨリソースフィールドと最も近く位置しているＰＵＣＣＨリソースフィールドで４０２に含まれるダウンリンクサブフレームのＰＵＣＣＨリソースを構成し、非トラフィック適応的ＵＥに対する上記ＰＵＣＣＨリソースフィールドから最も遠く位置しているＰＵＣＣＨリソースフィールドで４０４に含まれるダウンリ
ンクサブフレームのＰＵＣＣＨリソースを構成する。このような方式で、４０４に含まれている上記ダウンリンクサブフレームがスケジューリングされない場合、このようなサブフレームに対応する上記ＰＵＣＣＨリソースは占有されなくＰＵＣＣＨリソースフィールドの境界に位置し、したがって他のチャンネルとして使用されることができ、これによってリソースの浪費を避けることができる。
【００９４】
図４は、上記例に従うリソースマッピングを示している概略的ダイアグラムである。構成２によれば、５０２に含まれているダウンリンクサブフレームは、バンドリングウィンドウを形成し、ＰＤＳＣＨのＨＡＲＱ−ＡＣＫはアップリンクサブフレーム５０１でフィードバックされる。ＳＩＢ１シグナリングにより明示される上記非トラフィック適応的ＵＥのＵＬ／ＤＬ構成は、構成０であるので、サブフレーム６でＰＤＳＣＨのＨＡＲＱ−ＡＣＫはまた構成０タイミング方式によってアップリンクサブフレーム５０１でフィードバックされる。トラフィック適応的ＵＥに対するリソースマッピングの間に、上記バンドリングウィンドウに含まれているサブフレーム６でＰＤＳＣＨのＨＡＲＱ−ＡＣＫは、上記非トラフィック適応的ＵＥのＰＵＣＣＨリソースフィールドにマッピングされ、サブフレーム５でＰＤＳＣＨのＨＡＲＱ−ＡＣＫは、上位バージョンＵＥのＰＵＣＣＨリソースサブフィールド１にマッピングされ、サブフレーム４でＰＤＳＣＨのＨＡＲＱ−ＡＣＫは、上位バージョンＵＥのＰＵＣＣＨリソースサブフィールド２にマッピングされ、サブフレーム８でＰＤＳＣＨのＨＡＲＱ−ＡＣＫは、下位バージョンＵＥのリソースフィールドから最も遠く位置しているＰＵＣＣＨリソースにマッピングされる。
【００９５】
トラフィック適応的ＵＥに対するリソースマッピングでは、非トラフィック適応的ＵＥのリソースフィールドにマッピングされる必要があるサブフレームが上記バンドリングウィンドウ内でまず識別され、非トラフィック適応的ＵＥに対するリソースマッピング方式によってマッピングされる。そうしてから、マッピングされた上記サブフレームが除去され、残りのサブフレームが特定順序にＰＵＣＣＨリソースマッピングを通してプロセシングされる。これとは異なり、上記トラフィック適応的ＵＥの全てのＨＡＲＱ−ＡＣＫは、各サブフレームを別途に取扱わないで上記トラフィック適応的ＵＥのＰＵＣＣＨリソースフィールドで全部マッピングされることができる。上記リソースフィールドで、同一の方式が採択され、すなわち上記サブフレームのＨＡＲＱ−ＡＣＫが上記スケジューリングされるダウンリンクサブフレームの確率の降順に非トラフィック適応的ＵＥの上記リソースフィールドと最も近いＰＵＣＣＨリソースから非トラフィック適応的ＵＥの上記リソースフィールドから最も遠く位置するＰＵＣＣＨリソースまでのＰＵＣＣＨリソースに順次的にマッピングされる。
【００９６】
本発明の実施形態に対する具体的な説明は、次のようである。
【００９７】
図５は、本発明の一実施形態によるＰＵＣＣＨリソースマッピング方法を示しているフローチャートである。図５に示したように、上記フローチャートは、上記アップリンク−サブフレームのＰＵＣＣＨリソースマッピング方式を説明する例として特定アップリンクサブフレームｎで送信されるＨＡＲＱ−ＡＣＫ情報を一例とする。
【００９８】
ブロック３０１で、ＨＡＲＱ−ＡＣＫ送信のための特定アップリンクサブフレームｎでＨＡＲＱ−ＡＣＫを配達するＰＵＣＣＨリソースは、２個のカテゴリーに区分される。
【００９９】
上記ＰＵＣＣＨリソースは、非トラフィック適応的ＵＥに対するＰＵＣＣＨリソースフィールドとトラフィック適応的ＵＥに対するＰＵＣＣＨリソースフィールドを区分するために２個のカテゴリーに分割される。実施形態は、次のように、上記区分に対する２個の方式を提供する。
【０１００】
（１）区分方式１
上記区分は、ＨＡＲＱ−ＡＣＫ送信のためのＰＵＣＣＨに対応するＰＤＣＣＨ送信のための上記ダウンリンクサブフレームに基づいて遂行される。
【０１０１】
カテゴリー１に関して、上記ＰＵＣＣＨで送信される上記ＨＡＲＱ−ＡＣＫに対応するＰＤＣＣＨが非トラフィック適応的ＴＤＤ  ＵＥに対するシステム情報（一例で、ＳＩＢ１）で明示されるＴＤＤ  ＵＬ／ＤＬ構成に対して決定されたＨＡＲＱタイミング方式に対応するダウンリンクサブフレームに含まれている場合、上記ＰＵＣＣＨリソースはカテゴリー１に属する。
【０１０２】
カテゴリー２に関して、上記ＰＵＣＣＨで送信される上記ＨＡＲＱ−ＡＣＫに対応するＰＤＣＣＨが非トラフィック適応的ＴＤＤ  ＵＥに対するシステム情報（一例で、ＳＩＢ１）で明示されるＴＤＤ  ＵＬ／ＤＬ構成に対して決定されたＨＡＲＱタイミング方式に対応するダウンリンクサブフレームに含まれていない場合、上記ＰＵＣＣＨリソースはカテゴリー２に属する。
【０１０３】
上記のような区分は、次のような手順によって具現され得る。
【０１０４】
サブフレームコレクション１は、まず非トラフィック適応的ＵＥのＵＬ／ＤＬ構成によってサブフレームｎのバンドリングウィンドウ内で全てのダウンリンクサブフレームを使用して生成される。
【０１０５】
上記サブフレームコレクション１に属しているダウンリンクサブフレームの上記ＨＡＲＱ−ＡＣＫ情報を伝達するＰＵＣＣＨリソースは、カテゴリー１のリソースと見なされる。
【０１０６】
上記サブフレームコレクション１に属していないダウンリンクサブフレームの上記ＨＡＲＱ−ＡＣＫ情報を伝達するＰＵＣＣＨリソースは、カテゴリー２のリソースと見なされる。
【０１０７】
上記のような区分方法は、ダイナミックトラフィック適応的ＴＤＤ  ＵＥに関連した例題を参照して説明される。サブフレームＩＤがｎであるアップリンクサブフレームに対して、非ダイナミックトラフィック適応的ＴＤＤ  ＵＥのＵＬ／ＤＬ構成に対して、ダウンリンク関連集合Ｋ１あるいはバンドリングウィンドウＷ１＝ｎ−Ｋ１と、ダイナミックトラフィック適応的ＴＤＤ  ＵＥのタイミング方式に対して、ダウンリンク関連集合Ｋ２あるいはバンドリングウィンドウＷ２＝ｎ−Ｋ２が獲得されることができる。Ｗ２内のダウンリンクサブフレームは２個のパートに分割され、１個のパートはＷ１とＷ２の共通集合、すなわちＷ１∩Ｗ２であり、このパートで上記サブフレームに対するＨＡＲＱ−ＡＣＫは、カテゴリー１のリソースで送信される。他のパートは、Ｗ２のみに含まれているサブフレームを含むサブフレームの集合、すなわちＷ２−Ｗ１∩Ｗ２であり、このパートでサブフレームに対するＨＡＲＱ−ＡＣＫはカテゴリー２のリソースで送信される。
【０１０８】
一例で、非トラフィック適応的ＵＥに対するシステム情報（一例で、ＳＩＢ１）で明示されるＵＬ／ＤＬ構成は、構成０である。ＨＡＲＱ−ＡＣＫをフィードバックするための上記サブフレームは、サブフレームＩＤ  ｎ＝２であるアップリンクサブフレームであり、上記非トラフィック適応的ＵＥのダウンリンク関連集合はＫ１＝｛６｝であり、上記バンドリングウィンドウはＷ１＝｛ｎ−６｝である。上記システムは、ダイナミックトラフィック適応的ＴＤＤ  ＵＥにＰＤＳＣＨのＨＡＲＱ−ＡＣＫを送信するために構成２のタイミング方式を採択するように指示する。構成２で上記アップリンクサブフレーム２はＫ２＝｛８、７、４、６｝のダウンリンク関連集合及びＷ２＝｛ｎ−８、ｎ−７、ｎ−４、ｎ−６｝のバンドリングウィンドウに対応する。上記のような区分方法によれば、カテゴリー１のＰＵＣＣＨリソースは、サブフレーム｛ｎ−６｝に対応するＰＵＣＣＨリソースであり、カテゴリー２のＰＵＣＣＨリソースは、サブフレーム｛ｎ−８、ｎ−７、ｎ−４｝に対応するＰＵＣＣＨリソースである。
【０１０９】
（２）区分方式２
上記区分は、上記ＴＤＤ  ＵＥがダイナミックトラフィック適応的であるか否か基づいて遂行される。上記明示された方法は、次の通りである。
【０１１０】
カテゴリー１に関して、上記ＨＡＲＱ−ＡＣＫが非トラフィック適応的ＵＥにより送信される場合、上記ＨＡＲＱ−ＡＣＫに対するＰＵＣＣＨリソースはカテゴリー１に属し、上記ＵＥのバンドリングウィンドウはＨＡＲＱ−ＡＣＫを送信するためにカテゴリー１からのリソースに対応するダウンリンクサブフレームを含む。
【０１１１】
カテゴリー２に関して、上記ＨＡＲＱ−ＡＣＫがトラフィック適応的ＵＥにより送信される場合、上記ＨＡＲＱ−ＡＣＫに対するＰＵＣＣＨリソースはカテゴリー２に属し、上記ＵＥのバンドリングウィンドウはＨＡＲＱ−ＡＣＫを送信するためにカテゴリー２からのリソースに対応するダウンリンクサブフレームを含む。
【０１１２】
非トラフィック適応的ＵＥに対するアップリンクサブフレームｎのダウンリンク関連集合Ｋ１あるいはバンドリングウィンドウＷ１＝ｎ−Ｋ１は、表２に示したように上記ＰＤＳＣＨ対ＰＵＣＣＨ／ＰＵＳＣＨタイミングに基づいて獲得され得る。Ｗ１でダウンリンクサブフレームのＨＡＲＱ−ＡＣＫは、カテゴリー１のリソースを使用して全部送信され、すなわちＷ１でダウンリンクサブフレームのＨＡＲＱ−ＡＣＫを送信するＰＵＣＣＨリソースはカテゴリー１のリソースである。トラフィック適応的ＵＥに対するアップリンクサブフレームｎのダウンリンク関連集合Ｋ２あるいはバンドリングウィンドウＷ２＝ｎ−Ｋ２は、表２に表したように上記ＰＤＳＣＨ対ＰＵＣＣＨ／ＰＵＳＣＨタイミングに基づいて獲得され得る。Ｗ２でダウンリンクサブフレームのＨＡＲＱ−ＡＣＫはカテゴリー２のリソースを使用して全部送信され、すなわちＷ２でダウンリンクサブフレームのＨＡＲＱ−ＡＣＫを送信するＰＵＣＣＨリソースはカテゴリー２のリソースである。
【０１１３】
ブロック３０２で、カテゴリー１のＰＵＣＣＨ及びカテゴリー２のＰＵＣＣＨに対応するダウンリンクサブフレームのリソースマッピングが各々決定される。
【０１１４】
この手順で、上記リソースマッピングは、カテゴリー１のＰＵＣＣＨリソース及びカテゴリー２のＰＵＣＣＨリソースに対して各々遂行され、これは下記で各々説明される。
【０１１５】
（１）リソースマッピングは、非トラフィック適応的ＵＥに対するＰＵＣＣＨリソースマッピング方法に従うカテゴリー１のＰＵＣＣＨリソースにより送信されるＨＡＲＱ−ＡＣＫに対応するダウンリンクサブフレームで遂行される。カテゴリー１のＰＵＣＣＨリソースにより送信されるＨＡＲＱ−ＡＣＫに対応する上記ダウンリンクサブフレームは、下記の説明でカテゴリー１のサブフレームと称される。
【０１１６】
３ＧＰＰ  Ｒｅｌ−１０及びその下位バージョンで、ブロックインターリビングがリソースマッピングに適用される。本発明で、ＰＵＣＣＨリソースマッピングは、３ＧＰＰ  Ｒｅｌ−１０及び下位バージョンで定義されている方式によって遂行される。
【０１１７】
一実施形態で、サブフレームｓは、カテゴリー１のサブフレームであり、非トラフィック適応的ＵＥのＰＤＳＣＨ  ＨＡＲＱタイミングのバンドリングウィンドウでダウンリンク関連エレメントｋｍに対応する。ＰＤＳＣＨ送信を指示するかあるいはダウンリンクＳＰＳ解除を指示するＰＤＣＣＨは、サブフレームで検出され、上記ＰＤＣＣＨに対応する上記ＰＵＣＣＨリソースは、
【０１１８】
【数２４】
0006386445.tif 000027
【０１１９】
（２）リソースマッピングは、カテゴリー２のリソースにより送信されるＨＡＲＱ−ＡＣＫに対応するダウンリンクサブフレームで遂行される。カテゴリー２のリソースにより送信されるＨＡＲＱ−ＡＣＫに対応するダウンリンクサブフレームは、下記の説明でカテゴリー２のサブフレームと称される。
【０１２０】
上記リソースマッピングを遂行する順序を決定する手順は、より大きなスケジューリング確率を有するダウンリンクデータは、高い優先順位を有するリソースマッピングを通してプロセシングされ、すなわち上記周波数ドメインでＰＵＳＣＨリソースからより遠く存在するより高い優先順位のＰＵＣＣＨリソースでマッピングされるということを含むことができる。すなわちより大きなスケジューリング確率を有するダウンリンクデータは、まずリソースマッピングを通してプロセシングされ、ＰＵＳＣＨリソースからより遠く位置しているＰＵＣＣＨリソースにまずマッピングされる。トラフィック適応的ＴＤＤシステムで、上記マッピング優先順位あるいはダウンリンクサブフレームのマッピングシーケンスを決定するプロセスは、ダウンリンクサブフレームになるより大きい確率を有するサブフレームはより高い優先順位で割り当てられるか、あるいは、上記マッピングシーケンスのヘッド（ｈｅａｄ）により近い位置に配置され、ダウンリンク−サブフレームになるより小さな確率を有するサブフレームは、より低い優先順位で割り当てられ、上記マッピングシーケンスのテール（ｔａｉｌ）により近い位置に配置されることを含むことができる。上記リソースマッピングシーケンスによれば、ダウンリンクサブフレームになるより小さな確率を有するサブフレームのＨＡＲＱ−ＡＣＫ情報を送信するＰＵＣＣＨリソースは、ＰＵＳＣＨリソースにより近く位置する。したがって、より小さな確率を有するダウンリンクサブフレームのうちいずれか一つでもスケジューリングされない場合、上記ＰＵＳＣＨの直後に位置するＰＵＣＣＨリソースは、チャンネルリソース使用比率を増加させるＰＵＳＣＨリソースとして使用されるために占有もされず有用でもない。
【０１２１】
上記のようなリソースマッピング方式に基づいて、カテゴリー２のサブフレームでリソースマッピングを遂行する明示されたプロセスは、ステップ１、スケジューリング確率の降順にカテゴリー２のサブフレームを分類し、ステップ２、ステップ２の各サブフレームのＨＡＲＱ−ＡＣＫ情報をカテゴリー１のリソースにより近く位置するＰＵＣＣＨリソースからカテゴリー１のリソースからより遠く位置するＰＵＣＣＨリソースまでのＰＵＣＣＨリソースに順次的にマッピングするということを含み得る。上記のような二つのステップは、下記でより具体的に説明される。
【０１２２】
ステップ１で、カテゴリー２のサブフレームは、スケジューリング確率の降順に保存される。
【０１２３】
カテゴリー２のサブフレームを分類する方法を紹介する前に、カテゴリー２のサブフレームのスケジューリング確率を決定する方法が優先的に下記で紹介される。
【０１２４】
上記ダウンリンクサブフレームになるサブフレームの確率は、上記サブフレームがダウンリンクサブフレームとして使用される構成方式の個数を使用することによって決定されることができる。一例で、表１で、サブフレーム４は４個の構成方式、すなわち構成１、２、４、５でダウンリンクサブフレームとして使用され、サブフレーム３は２個の構成方式、すなわち構成２及び５でダウンリンクサブフレームとして使用され、したがって、サブフレーム４は、サブフレーム３よりはダウンリンクサブフレームになるより大きい確率を有すると見なされることができ、したがって、上記分類されたシーケンスでサブフレーム３以前に配列される。
【０１２５】
実際配置で、異なるＵＬ／ＤＬ構成は使用される異なる確率を有し、したがって頻繁に使用される構成方式で上記サブフレームは、上記分類されたシーケンスでほとんど使用されない（ｒａｒｅｌｙ−ｕｓｅｄ）構成方式のみでダウンリンクであるサブフレーム前に配列されることができる。したがって、ダウンリンクサブフレームになるサブフレームの上記確率はまた上記サブフレームがダウンリンクであるＵＬ／ＤＬ構成の上記確率により決定されることができる。一例で、構成１及び２が頻繁に使用されると仮定し、この２個の構成でダウンリンクサブフレームは、構成０、３、４、５及び６のみでダウンリンクであるサブフレーム前に配列されることができる。表１によれば、構成１及び２でダウンリンクサブフレームは、サブフレーム０、１、５、６、３、８、４、９であり、サブフレーム７は他の構成でダウンリンクであり、したがって、サブフレーム７は、上記分類されたシーケンスでサブフレーム０、１、５、６、３、８、４、９の次に配列されることができる。
【０１２６】
ダウンリンクサブフレームになる上記サブフレームの確率を決定する上記のような２個の根拠は、別途に使用されるか、あるいは組合して使用されることができる。他の方式が上記確率を決定するために採択されることができ、本発明で限定されない。
【０１２７】
次は、カテゴリー２のサブフレームを分類するいくつの例題である。
【０１２８】
（１）例題１は、全ての候補ダウンリンクサブフレーム（ｃａｎｄｉｄａｔｅ  ｄｏｗｎｌｉｎｋ  ｓｕｂ−ｆｒａｍｅ）を分類する方法である。
【０１２９】
上記ダウンリンクサブフレームの順序は、ダウンリンクサブフレームのサブフレームＩＤのシーケンスによって決定される。上記全ての構成で候補ダウンリンクサブフレームは、そのサブフレームＩＤが０、１、３、４、５、６、７、８、９であるサブフレームである。上記候補ダウンリンクサブフレームの全部が分類され、そうしてから上記獲得された分類されたシーケンスで上記サブフレームＩＤの順序はカテゴリー２のサブフレームを分類してカテゴリー２の分類されたサブフレームを獲得するように使用される。
【０１３０】
表２に表したようにダウンリンクサブフレームｎ−ｋでＰＤＳＣＨを指示するかあるいはＳＰＳ解除及びＰＤＳＣＨ対ＰＵＣＣＨ／ＰＵＳＣＨタイミング方式を指示するアップリンクサブフレームｎでＨＡＲＱ−ＡＣＫに従う数式を使用して上記ダウンリンク関連集合に含まれているエレメントｋに対応する上記ダウンリンクサブフレームの一連番号を決定する。上記のような分析によれば、上記分類されたシーケンスで、サブフレーム０、１、５、６は、サブフレーム３、４、７、８及び９前に配置される。
【０１３１】
サブフレーム０、１、５、６のいずれの順序も本発明の保護範囲内に存在する。上記サブフレーム９、４、８、３、７の順序は（９、４、８、３、７）になり得る。サブフレーム９は、表１によれば、構成１〜５でダウンリンクであるから、したがってサブフレーム９は、サブフレーム４、８、３、７の前の順位を占める。構成１及び２は頻繁に使用され、したがって上記サブフレームの分類を示すための例題として使用される。サブフレーム９及び４は、構成１及び２の両方でダウンリンクサブフレームであり、サブフレーム８及び３は構成１のみでダウンリンクサブフレームであり、したがってサブフレーム９及び４は、サブフレーム８及び３の前に配置される。サブフレーム９、４、８、３、７のいずれの順序も本発明の保護範囲内に存在する。
【０１３２】
全ての候補ダウンリンクサブフレームの分類されたシーケンスは、任意の順序、一例で、下記＜数式２＞のような順序でサブフレーム９、４、８、３、７の前にサブフレーム０、１、５、６を挿入することによって獲得されることができる。
【０１３３】
Ｄ＝（０、５、１、６、９、４、８、３、７）  ＜数式２＞
【０１３４】
カテゴリー２のサブフレームは、上記全ての候補ダウンリンクサブフレームの分類されたシーケンスを使用して分類してカテゴリー２のサブフレームのシーケンスｓ０、ｓ１、…、ｓＮを獲得し、カテゴリー２のサブフレームに対応するダウンリンク関連エレメントのシーケンスｐ０、ｐ１、…、ｐＮは、上記ダウンリンク関連エレメントと上記サブフレームとの間の関係を使用して獲得されることができる。
【０１３５】
一例で、ＰＤＳＣＨ  ＨＡＲＱにより採択される上記タイミングが構成２と仮定する場合、ＳＩＢ１シグナリングにより明示される非トラフィック適応的ＵＥのＵＬ／ＤＬ構成が構成０であり、ＨＡＲＱ−ＡＣＫは、サブフレームＩＤ  ｎ＝２であるアップリンクサブフレームでフィードバックされ、上記非トラフィック適応的ＵＥの上記バンドリングウィンドウはＷ１＝｛ｎ−６｝であり、上記トラフィック適応的ＵＥのダウンリンク関連集合はＫ２＝｛８、７、４、６｝であり、上記トラフィック適応的ＵＥのバンドリングウィンドウは、Ｗ２＝｛ｎ−８、ｎ−７、ｎ−４、ｎ−６｝である。ブロック３０１での方法１によれば、カテゴリー２のサブフレームは｛ｎ−８、ｎ−７、ｎ−４｝であり、上記サブフレームＩＤは｛４、５、８｝である。上記サブフレームが数式２によって分類される場合、（５、４、８）のシーケンスが獲得され、カテゴリー２の上記サブフレームの分類されたシーケンスは｛ｎ−７、ｎ−８、ｎ−４｝である。
【０１３６】
上述したような観点で、カテゴリー２のサブフレームを分類する方法は、全ての候補ダウンリンクサブフレームのサブフレームＩＤを識別し、スケジューリング確率の降順に上記サブフレームＩＤを分類し、上記サブフレームの順序を維持する間に、上記全ての候補ダウンリンクサブフレームの分類されたシーケンスからカテゴリー２のサブフレームを選択してカテゴリー２のサブフレームの分類されたシーケンスを獲得することを含み得る。
【０１３７】
（２）例題１は、ウェイト（ｗｅｉｇｈｔ）を使用する方法である。
【０１３８】
この例題で、ウェイトは、全ての候補ダウンリンクサブフレームの各々に割り当てられる。カテゴリー２のサブフレームのＰＵＣＣＨリソースマッピングの間に、最も小さなウェイトを有するダウンリンクサブフレームがまずカテゴリー１のリソースに最も近いＰＵＣＣＨリソースにマッピングされる。
【０１３９】
一例で、上記ウェイトとダウンリンクサブフレームＩＤとの間の関係が表３に示されている。
【０１４０】
【表３】
0006386445.tif 000028
【０１４１】
表３に示したような関係は、数式を使用して表現される。ダウンリンクサブフレームがフレームでｘのＩＤを有し、Ｑ（ｘ）のウェイトを有する場合、表３によれば、Ｑ（ｘ）は、下記のような数式により決定されることができる。
【０１４２】
【数２５】
0006386445.tif 000029
【０１４３】
上記数式で、
【０１４４】
【数２６】
0006386445.tif 000030
【０１４５】
は、切り捨て（ｒｏｕｎｄｉｎｇ  ｄｏｗｎ）動作を示す。上記のような例題１で明示される上記サブフレームＩＤのシーケンスで各サブフレームはウェイトの昇順にウェイトと共に割り当てられる。そうしてから、カテゴリー２のサブフレームは、ウェイトの昇順に分類され、カテゴリー２のサブフレームの分類されたシーケンス、すなわちｓ０、ｓ１、…、ｓＮを獲得する。
【０１４６】
上記ウェイトは、上記ダウンリンク関連集合でエレメントの関数として表現されることができる。ブロック３０１が例題１の手順を採択する場合、アップリンクサブフレームｎに対して、非トラフィック適応的ＵＥのＵＬ／ＤＬ構成のダウンリンク関連集合Ｋ１及びトラフィック適応的ＵＥのタイミング方式のダウンリンク関連集合
【０１４７】
【数２７】
0006386445.tif 000031
【０１４８】
が表２に示したような上記ＰＤＳＣＨ対ＰＵＣＣＨ／ＰＵＳＣＨタイミング方式によって獲得されることができる。Ｋ２に含まれているエレメントｋに対して、
【０１４９】
【数２８】
0006386445.tif 000032
【０１５０】
であり、
【０１５１】
【数２９】
0006386445.tif 000033
【０１５２】
である場合、上記ウェイトは、下記＜数式４＞により獲得されることができる。
【０１５３】
【数３０】
0006386445.tif 000034
【０１５４】
Ｋ２に属しており、Ｋ１には属していないエレメントは、ウェイトの昇順に分類されてカテゴリー２のサブフレームのダウンリンク関連エレメントの分類されたシーケンスｐ０、ｐ１、…、ｐＮを獲得する。
【０１５５】
ブロック３０１が例題２の手順を採択する場合、アップリンクサブフレームｎに対して、トラフィック適応的ＵＥの上記タイミング方式のダウンリンク関連集合
【０１５６】
【数３１】
0006386445.tif 000035
【０１５７】
が表２に示したような上記ＰＤＳＣＨ対ＰＵＣＣＨ／ＰＵＳＣＨタイミング方式によって獲得され得る。上記Ｋ２に含まれている上記エレメントｋのウェイトＱ１（ｎ、ｋ）は、＜数式４＞によって獲得され得る。上記Ｋ２に含まれている上記エレメントは、ウェイトの昇順に分類されてカテゴリー２のサブフレームに対するダウンリンク関連エレメントの分類されたシーケンスｐ０、ｐ１、…、ｐＮを獲得する。
【０１５８】
一例で、上記ＰＤＳＣＨ  ＨＡＲＱにより採択されるタイミングが構成３と仮定する場合、ＳＩＢ１シグナリングにより明示される非トラフィック適応的ＵＥのＵＬ／ＤＬ構成は、構成０であり、ＨＡＲＱ−ＡＣＫは、サブフレームＩＤ  ｎ＝２であるアップリンクサブフレームでフィードバックされ、上記非トラフィック適応的ＵＥのダウンリンク関連集合はＫ１＝｛６｝であり、上記トラフィック適応的ＵＥのダウンリンク関連集合はＫ２＝｛８、７、４、６｝である。上記Ｋ２に属しており、Ｋ１に属していないエレメントの集合は｛８、７、４｝である。＜数式４＞に従う上記ダウンリンク関連エレメントを使用して獲得されるウェイトは、
Ｑ１（８）＝５、Ｑ１（７）＝２、Ｑ１（４）＝６であり、
カテゴリー２のサブフレームのダウンリンク関連エレメントは、ウェイトの昇順に分類されて上記ダウンリンク関連エレメントのシーケンス（７、８、４）を獲得する。
カテゴリー２のサブフレームを分類する方法は、全ての候補ダウンリンクサブフレームのサブフレームＩＤを識別し、各識別されたサブフレームＩＤに対するウェイトをより低いウェイトが割り当てられたより大きなスケジューリング確率を有するサブフレームに設定し、上記サブフレームＩＤのウェイトの昇順にカテゴリー２のサブフレームを分類してカテゴリー２のサブフレームの分類されたシーケンスを獲得することを含むことができることが分かる。
【０１５９】
上記サブフレームのウェイトは、ダウンリンク関連集合に含まれているエレメントの関数として表現されることができ、上記ダウンリンク関連集合に含まれているカテゴリー２のサブフレームに対応するエレメントのウェイトは、上記関数を使用して決定されることができる。
【０１６０】
（３）例題３は、サイクリックシフト（ｃｙｃｌｉｃ  ｓｈｉｆｔ）方法である。
【０１６１】
バンドリングウィンドウＷ２でサブフレームあるいはカテゴリー２のサブフレームは、サブフレームＩＤの昇順に分類されて上記サブフレームの最初の分類されたシーケンスを獲得する。上記ダウンリンクサブフレームＩＤは、上記＜数式１＞を使用して獲得され得る。
【０１６２】
上記バンドリングウィンドウＷ２が特定のサブフレームを含む場合、左へのサイクリックシフトが上記左側で最初の特定サブフレームから始まる最初の分類されたシーケンスで遂行され上記バンドリングウィンドウの２番目の分類されたシーケンスを獲得する。上記バンドリングウィンドウＷ２が特定のサブフレームを含まない場合、２番目の分類されたシーケンスが上記最初の分類されたシーケンスを反転させることによって獲得される。カテゴリー１のサブフレームは、上記２番目の分類されたシーケンスから除去されるか、あるいはカテゴリー２のサブフレームの分類されたシーケンスｓ１、…、ｓＮは直接獲得されるか、あるいはカテゴリー２のサブフレームに対応するダウンリンク関連エレメントの分類されたシーケンスｐ０、ｐ１、…、ｐＮは、上記ダウンリンク関連エレメントとカテゴリー２のサブフレームとの間の関係を使用して獲得される。
【０１６３】
上記のようなサイクリックシフト方法を使用して獲得されるカテゴリー２のサブフレームの分類されたシーケンスは、また確率の降順に上記サブフレームを配列する。
【０１６４】
（４）例題４は、上位階層指示（ｉｎｄｉｃａｔｉｏｎ）を使用する方法である。
【０１６５】
この方法で、上記全ての候補ダウンリンクサブフレームＩＤあるいはダウンリンクサブフレームＩＤのパートの順序は、上位階層シグナリングから獲得される。カテゴリー２のサブフレームは、上記指示された全てのダウンリンクサブフレームの分類されたシーケンスと、上記サブフレームＩＤと上記サブフレームとの間の関係を使用してカテゴリー２のサブフレームの分類されたシーケンスｓ０、ｓ１、…、ｓＮが獲得されるか、あるいはカテゴリー２のサブフレームに対応するダウンリンク関連エレメントの分類されたシーケンスｐ０、ｐ１、…、ｐＮは、上記ダウンリンク関連エレメントと上記サブフレームとの間の関係を使用して獲得されることができる。上記エレメントは、カテゴリー２のサブフレームの分類されたシーケンス及び上記上位階層シグナリングで指示されるような上記ダウンリンクサブフレームのシーケンスと同じ順序に存在する。
【０１６６】
（５）例題５は、表を使用する方法である。
【０１６７】
この例題は、表でダウンリンク関連集合に含まれているダウンリンク関連エレメントの上記分類された順序を提供し、バンドリングウィンドウで上記ダウンリンクサブフレームの順序は、上記ダウンリンク関連エレメントの順序を使用して獲得され得る。上記ダウンリンク関連エレメントの順序は、上述したような方法、一例で、サブフレーム３、４、７、８、９の前にサブフレーム０、１、５、６を配置させるか、あるいは構成２には属しており、構成１には属していないダウンリンクサブフレーム前の構成１に属しているサブフレームを配置させることによって獲得され得る。上記ダウンリンク関連エレメントの順序は、上記のような例題１での任意の分類方法を使用して獲得され得る。
【０１６８】
二つの例題は、下記のように与えられる。表４及び５は、ダウンリンク関連集合に含まれているエレメントの２個の分類されたシーケンスを提供する。
【０１６９】
ブロック３０１が区分方式１を採択する場合、トラフィック適応的ＵＥの前記バンドリングウィンドウは、２個のパートに分割され、カテゴリー１のサブフレームは、前記バンドリングウィンドウ及び非トラフィック適応的ＵＥのバンドリングウィンドウの共通集合であり、カテゴリー２のサブフレームは、前記トラフィック適応的ＵＥのバンドリングウィンドウのみに属しており、上記非トラフィック適応的ＵＥのバンドリングウィンドウに属していないサブフレームである。次のような２種類の具現方法が存在する。
【０１７０】
（５−１）具現方法５−１：
アップリンクサブフレームｎに対して、非トラフィック適応的ＵＥの上記ＵＬ／ＤＬ構成下のダウンリンク関連集合Ｋ１は、上記ＰＤＳＣＨ対ＰＵＣＣＨ／ＰＵＳＣＨタイミングによって獲得されることができ、トラフィック適応的ＵＥの上記タイミング下のダウンリンク関連集合
【０１７１】
【数３２】
0006386445.tif 000036
【０１７２】
は、表４から獲得され得る。上記Ｋ１及びＫ’２の共通集合は、Ｋ’２から除去され新たな集合Ｋ’３＝｛ｐ０、ｐ１、…、ｐＮ｝を獲得し、ここで、エレメントは順序通りに配列される。したがって、カテゴリー２のサブフレームに対応する上記ダウンリンク関連エレメントの順序は、｛ｐ０、ｐ１、…、ｐＮ｝である。エレメントはＫ’３及びＫ’２で同じ順序に存在する。
【０１７３】
【表４】
0006386445.tif 000037
【０１７４】
一例で、表４を例とする場合、トラフィック適応的ＵＥのＰＤＳＣＨ  ＨＡＲＱは、上記構成２のタイミング方式に従うと仮定すると、非トラフィック適応的ＵＥに対してＳＩＢ１シグナリングで指示される上記構成は、構成０であり、ＨＡＲＱ−ＡＣＫがサブフレームＩＤ  ｎ＝２であるアップリンクサブフレームでフィードバックされる場合、表４によって上記非トラフィック適応的ＵＥのダウンリンク関連集合はＫ１＝｛６｝であり、上記トラフィック適応的ＵＥのダウンリンク関連集合はＫ’２＝｛７、６、８、４｝である。Ｋ’２には属しており、Ｋ１には属していないエレメントの集合は｛７、８、４｝である。したがって、カテゴリー２のサブフレームに対応するダウンリンク関連エレメントの分類された順序は（７、８、４）である。
【０１７５】
表１から、構成５は、構成４より一つあるいはそれ以上のダウンリンクサブフレーム３を有し、構成４は、構成３より一つあるいはそれ以上のダウンリンクサブフレーム４を有するということが分かる。上記ＰＤＳＣＨ対ＰＵＣＣＨ／ＰＵＳＣＨタイミングが上記構成５に従う場合、上記実際システムは、構成３、４、５のみによって制限され、したがって、サブフレーム３及び４のみがアップリンクとダウンリンク間に変更される。
【０１７６】
ＨＡＲＱ−ＡＣＫがサブフレームＩＤ  ｎ＝２であるアップリンクサブフレームでフィードバックされる場合、サブフレーム３及び４は、ダウンリンク関連エレメント８及び９に対応する。したがって、ＰＤＳＣＨ対ＰＵＣＣＨ／ＰＵＳＣＨタイミングが構成５に従い、上記実際−採択されたシステム構成が３、４及び５である場合のみに、上記シーケンスのテールでダウンリンク関連エレメント８及び９を配置させることはＰＵＣＣＨリソース利用比率を増加させることができる。このような具現方法は、上記のような例題で上記構成及び制限により限定されない。
【０１７７】
（５−２）具現方法５−２：
アップリンクサブフレームｎに対して、非トラフィック適応的ＵＥの上記ＵＬ／ＤＬ構成下でダウンリンク関連集合Ｋ１は、上記ＰＤＳＣＨ対ＰＵＣＣＨ／ＰＵＳＣＨタイミングによって獲得されることができ、上記トラフィック適応的ＵＥのタイミング下でダウンリンク関連集合
【０１７８】
【数３３】
0006386445.tif 000038
【０１７９】
は、表５から獲得され得る。上記Ｋ１とＫ’２間の共通集合は、Ｋ’２から除去され新たな集合Ｋ’３＝｛ｐ０、ｐ１、…、ｐＮ｝を獲得し、ここでエレメントは順に配列される。したがって、カテゴリー２のサブフレームに対応するダウンリンク関連エレメントの順序は｛ｐ０、ｐ１、…、ｐＮ｝である。エレメントはＫ’３及びＫ’２で同じ順序に存在する。
【０１８０】
【表５】
0006386445.tif 000039
【０１８１】
上記システムが上記ＰＤＳＣＨ対ＰＵＣＣＨ／ＰＵＳＣＨタイミングが上記構成５のタイミングに従い、上記実際−採択されたシステム構成が任意の構成であると明示する場合、構成１及び２でダウンリンクサブフレームは、構成１及び２が実際に頻繁に使用されるために上記マッピングプロセスで与えられた優先順位である。ＨＡＲＱ−ＡＣＫがサブフレームＩＤ  ｎ＝２であるアップリンクサブフレームでフィードバックされ、上記システムが上記ＰＤＳＣＨ対ＰＵＣＣＨ／ＰＵＳＣＨタイミングが上記構成５のタイミングに従うと明示する場合、ダウンリンク関連エレメント５は、ダウンリンク関連エレメント５に対応する上記ダウンリンクサブフレームが構成１及び２でダウンリンクではないので、上記ダウンリンク関連集合のテールに配置されることができる。
【０１８２】
表４及び５で、サブフレーム２のダウンリンク関連集合に含まれているダウンリンク関連エレメント７、６、１２、１１は、各々サブフレーム０、１、５、６（あるいは、サブフレーム５、６、０、１）に対応する。このようなサブフレームは常に上記構成の全てでダウンリンクサブフレームであり、したがって任意の構成の上記ダウンリンク関連集合に含まれているダウンリンク関連エレメント７、６、１２、１１の任意の順序は、本発明の保護範囲、一例で、構成４下のサブフレーム２のダウンリンク関連集合に含まれている｛１１、７、１２、８｝あるいは｛１２、７、１１、８｝など内に存在する。同様に、任意の構成下の上記ダウンリンク関連集合で、サブフレーム７のダウンリンク関連集合に含まれているエレメント６及び７は、本発明でまた保護される前記｛７、６｝あるいは｛６、７｝の順序に存在することができる。
【０１８３】
表４及び５で、構成５下のサブフレーム２のダウンリンク関連集合、一例で、｛１１、７、１２、６、１３、４、５、８、９｝あるいは｛１２、７、１１、６、１３、５、４、８、９｝であるダウンリンク関連集合に含まれているエレメント４、５、７、９の任意の順序は、本発明の保護範囲内に存在する。
【０１８４】
区分方法２がブロック３０１で採択される場合、非トラフィック適応的ＴＤＤ  ＵＥに対応するＰＵＣＣＨリソースはカテゴリー１のリソースであり、トラフィック適応的ＴＤＤ  ＵＥに対応するＰＵＣＣＨリソースはカテゴリー２のリソースである。カテゴリー２のＰＵＣＣＨリソースに対応するダウンリンクサブフレームの上記マッピングシーケンスを決定する、次のような２種類方法が存在する。
【０１８５】
（５−３）具現方法５−３：
アップリンクサブフレームｎに対して、ダウンリンク関連集合
【０１８６】
【数３４】
0006386445.tif 000040
【０１８７】
が上記ＰＤＳＣＨ対ＰＵＣＣＨ／ＰＵＳＣＨタイミング方式によって表４から獲得され得る。カテゴリー２のサブフレームに対応するダウンリンク関連エレメントの分類された順序｛ｐ０、ｐ１、…、ｐＮ｝は
【０１８８】
【数３５】
0006386445.tif 000041
【０１８９】
である
【０１９０】
【数３６】
0006386445.tif 000042
【０１９１】
一例で、トラフィック適応的ＵＥの上記ＰＤＳＣＨ  ＨＡＲＱは、構成２のタイミング方式を採択し、ＨＡＲＱ−ＡＣＫはアップリンクサブフレームｎ＝２でフィードバックされ、表４に従う上記トラフィック適応的ＵＥのダウンリンク関連集合は、Ｋ’２＝｛７、６、８、４｝である。カテゴリー２のサブフレームに対応する上記ダウンリンク関連エレメントの分類された順序は（７、６、８、４）である。
【０１９２】
（５−４）具現方法５−４：
アップリンクサブフレームｎに対して、ダウンリンク関連集合
【０１９３】
【数３７】
0006386445.tif 000043
【０１９４】
が上記ＰＤＳＣＨ対ＰＵＣＣＨ／ＰＵＳＣＨタイミング方式によって表５から獲得され得る。カテゴリー２のサブフレームに対応する上記ダウンリンク関連エレメントの分類された順序｛ｐ０、ｐ１、…、ｐＮ｝は
【０１９５】
【数３８】
0006386445.tif 000044
【０１９６】
である
【０１９７】
【数３９】
0006386445.tif 000045
【０１９８】
この具現方法で、カテゴリー２のサブフレームは、
【０１９９】
各ＵＬ／ＤＬ構成に対してダウンリンク関連集合に含まれているダウンリンク関連エレメントの順序を事前設定し、ここで上記ダウンリンク関連エレメントは、上記ダウンリンク関連エレメントに対応するダウンリンクサブフレームのスケジューリング確率の降順よって分類される。
【０２００】
上記事前設定順序に基づいて現在−指示されるＵＬ／ＤＬ構成に対応するダウンリンク関連エレメントの順序を決定し、上記分類されたダウンリンク関連エレメントからカテゴリー２のサブフレームに対応するダウンリンク関連エレメントを選択し、上記選択されたダウンリンク関連エレメントの順序によってカテゴリー２のサブフレームを分類することを含み得るということが分かる。
【０２０１】
カテゴリー２のサブフレームを分類する上記のような方法で、同じ確率のサブフレームは任意の順序に配列されることができ、上記順序は、本発明で制限されない。
【０２０２】
（６）具現方法６：基本方法
具現方法１がブロック３０１で採択される場合、アップリンクサブフレームに対して、非トラフィック適応的ＵＥのＵＬ／ＤＬ構成下のダウンリンク関連集合Ｋ１及びトラフィック適応的ＵＥの上記タイミング方式下のダウンリンク関連集合Ｋ２＝｛ｋ０、ｋ１、…、ｋＮ｝は、表２に表したように上記ＰＤＳＣＨ対ＰＵＣＣＨ／ＰＵＳＣＨタイミングによって獲得され得る。新たな分類された集合Ｋ３＝｛ｐ０、ｐ１、…、ｐＮ｝は、Ｋ２から上記Ｋ１及びＫ２の共通集合を除去することによって獲得されることができ、カテゴリー２のサブフレームに対応する上記ダウンリンク関連エレメントの分類された順序は｛ｐ０、ｐ１、…、ｐＮ｝であり、ここで、エレメントはＫ２及びＫ３で同じ順序に存在する。
【０２０３】
具現方法２がブロック３０１で採択される場合、アップリンクサブフレームｎに対して、トラフィック適応的ＵＥの上記タイミング方式下のダウンリンク関連集合Ｋ２＝｛ｋ０、ｋ１、…、ｋＮ｝は、表２に表したように上記ＰＤＳＣＨ対ＰＵＣＣＨ／ＰＵＳＣＨタイミング方式によって獲得され得る。カテゴリー２のサブフレームに対応する上記ダウンリンク関連エレメントの順序は｛ｐ０、ｐ１、…、ｐＮ｝、すなわち、｛ｋ０、ｋ１、…、ｋＮ｝である。
【０２０４】
また上記のような具現方法は、互換可能なＵＥに対して適用可能である。
【０２０５】
ステップ２で、ＰＵＣＣＨリソースマッピングはステップ１で決定された順序によってカテゴリー２のサブフレームで遂行され、サブフレームはＰＵＳＣＨリソースからより遠く位置しているＰＵＣＣＨリソースからＰＵＳＣＨリソースにより近く位置しているＰＵＣＣＨリソースへのＰＵＣＣＨリソースにマッピングされる。
【０２０６】
次は具現方法のいくつの例題を提供する。
【０２０７】
（１）具現方法１
カテゴリー２の分類されたサブフレームが｛ｓ０、ｓ１、…、ｓＮ｝として与えられるか、あるいはカテゴリー２のサブフレームに対応する上記分類されたダウンリンク関連エレメントが｛ｐ０、ｐ１、…、ｐＮ｝として与えられる場合、ＰＤＳＣＨ送信を指示するかあるいはダウンリンクＳＰＳ解除を指示するＰＤＣＣＨがサブフレームｓｍで検出される場合、上記対応するＰＵＣＣＨリソースは
【０２０８】
【数４０】
0006386445.tif 000046
【０２０９】
【数４１】
0006386445.tif 000047
【０２１０】
は、ＰＣＦＩＣＨによりリード（ｒｅａｄ）される制御シンボルの個数を使用して獲得されるサブフレームｓｉでＣＣＥの番号であり得る。ＣＣＥは９個のリソースエレメントグループ（ｒｅｓｏｕｒｃｅ  ｅｌｅｍｅｎｔ  ｇｒｏｕｐ；ＲＥＧ）を含む。ＲＥＧは制御シンボルで４個のリソースエレメント（ｒｅｓｏｕｒｃｅ  ｅｌｅｍｅｎｔ：ＲＥ）で構成される。ＲＥはＯＦＤＭシンボルに含まれるキャリアである。上記ＲＥＧを含むＲＥに対するより具体的な事項は３６．２１１Ｖ８．８．０、Ｓｅｃｔｉｏｎ６．２．４で検索され得る。
【０２１１】
【数４２】
0006386445.tif 000048
【０２１２】
をサブフレーム内の物理制御フォーマット指示子チャンネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）及び物理ハイブリッドＡＲＱ指示子チャンネル（Ｐｈｙｓｉｃａｌ  ｈｙｂｒｉｄ  ＡＲＱ  ｉｎｄｉｃａｔｏｒ  ｃｈａｎｎｅｌ；ＰＨＩＣＨ：）に割り当てられないＲＥＧの個数と定義する場合、ＣＣＥの番号は、上記サブフレームで
【０２１３】
【数４３】
0006386445.tif 000049
【０２１４】
である。上記サブフレームｓｉの
【０２１５】
【数４４】
0006386445.tif 000050
【０２１６】
はＰＣＦＩＣＨに含まれている制御シンボルの個数を使用して獲得されることができ、
【０２１７】
【数４５】
0006386445.tif 000051
【０２１８】
である。
【０２１９】
また、
【０２２０】
【数４６】
0006386445.tif 000052
【０２２１】
は、サブフレームｓｉでＣＣＥの番号に基づいて推定されることができる。一例で、ＵＥは、まずサブフレームｓｉでＯＦＤＭ制御シンボルの推定値を獲得することができ、そうしてから上記ＯＦＤＭ制御シンボルの推定値を使用して
【０２２２】
【数４７】
0006386445.tif 000053
【０２２３】
を獲得してサブフレームｓｉで上記ＣＣＥの番号及びＨＡＲＱ−ＡＣＫリソースの個数を獲得する。これとは異なり、ＣＣＥ推定値
【０２２４】
【数４８】
0006386445.tif 000054
【０２２５】
は上記スタンダードで
【０２２６】
【数４９】
0006386445.tif 000055
【０２２７】
上記ＯＦＤＭ制御シンボルの推定された値は、上記可能な最大値を使用して獲得されることができ、一例で、特定サブフレームで制御シンボルの個数は２として設定されることができ、任意の他のサブフレームで制御シンボルの個数は３と設定されるか、上位階層シグナリングから獲得されることができる。
【０２２８】
サブフレームｓｉでＨＡＲＱ−ＡＣＫを遮断するＰＵＣＣＨリソースの個数
【０２２９】
【数５０】
0006386445.tif 000056
【０２３０】
は物理階層シグナリングあるいは上位階層シグナリングを通して指示され得るか、あるいは、サブフレームｓｉの
【０２３１】
【数５１】
0006386445.tif 000057
【０２３２】
は物理階層シグナリングあるいは上位階層シグナリングを通して指示されるサブフレームｓｉで制御シンボルの個数を使用して獲得されることができ、そうしてから上記
【０２３３】
【数５２】
0006386445.tif 000058
【０２３４】
の値が獲得されることができ、そうしてから上記
【０２３５】
【数５３】
0006386445.tif 000059
【０２３６】
の値が獲得されることができる。
【０２３７】
（２）具現方法２
カテゴリー２の分類されたサブフレームが｛ｓ０、ｓ１、…、ｓＮ｝として与えられるかあるいはカテゴリー２のサブフレームに対応する上記分類されたダウンリンク関連エレメントが｛ｐ０、ｐ１、…、ｐＮ｝として与えられる場合、ＰＤＳＣＨ送信を指示するかあるいはダウンリンクＳＰＳ解除を指示するＰＤＣＣＨがサブフレームｓｍで検出される場合、上記対応するＰＵＣＣＨリソースは
【０２３８】
【数５４】
0006386445.tif 000060
【０２３９】
これとは異なり、
【０２４０】
【数５５】
0006386445.tif 000061
【０２４１】
はまたサブフレームｓｉでＣＣＥの番号に基づいて推定されることができる。一例として、ＵＥは、まずカテゴリー２のサブフレームに含まれているＯＦＤＭ制御シンボルの推定値を獲得することができ、そうしてから、上記ＯＦＤＭ制御シンボルの推定値を使用して
【０２４２】
【数５６】
0006386445.tif 000062
【０２４３】
を獲得することができ、そうしてからカテゴリー２のサブフレームでＣＣＥの番号の推定値及びＨＡＲＱ−ＡＣＫリソースの個数はＲ８に定義されている方法によって獲得されることができる。これとは異なり、ＣＣＥ推定値
【０２４４】
【数５７】
0006386445.tif 000063
【０２４５】
は、上記スタンダードで
【０２４６】
【数５８】
0006386445.tif 000064
【０２４７】
上記ＯＦＤＭ制御シンボルの推定された値は、カテゴリー２のサブフレームの最大値を使用して３のように獲得されるか、あるいは上位階層シグナリングを通して指示されることができる。
【０２４８】
（３）具現方法３：ブロックインターリビング方法、すなわちＬＴＥマッピング方法
【０２４９】
ＰＤＳＣＨ送信を指示するかあるいはダウンリンクＳＰＳ解除を指示するＰＤＣＣＨがサブフレームｓｍで検出される場合、カテゴリー２の分類されたサブフレームｓ０、ｓ１、…、ｓＮに対するＰＵＣＣＨリソースは
【０２５０】
【数５９】
0006386445.tif 000065
【０２５１】
である。
【０２５２】
【数６０】
0006386445.tif 000066
【０２５３】
ＨＡＲＱ−ＡＣＫを遮断する上記ＰＵＣＣＨリソースの開始位置
【０２５４】
【数６１】
0006386445.tif 000067
【０２５５】
、すなわちカテゴリー２のリソースの開始位置は、非トラフィック適応的ＵＥの上記ＰＵＣＣＨリソースフィールドの直後に位置されるか、あるいは上位階層シグナリングを通して指示されることができる。上記開始位置
【０２５６】
【数６２】
0006386445.tif 000068
【０２５７】
は非トラフィック適応的ＵＥの上記ＰＵＣＣＨリソースの直後に位置し、
【０２５８】
【数６３】
0006386445.tif 000069
【０２５９】
であり、
【０２６０】
ここで、
【０２６１】
【数６４】
0006386445.tif 000070
【０２６２】
は非トラフィック適応的ＵＥのバンドリングウィンドウでｉ‘番目のダウンリンクサブフレームでＣＣＥの番号であり、
【０２６３】
【数６５】
0006386445.tif 000071
【０２６４】
はＬＴＥ  Ｒ８の上位階層シグナリングで提供され、Ｍは上記非トラフィック適応的ＵＥのバンドリングウィンドウのサイズである。
【０２６５】
また、
【０２６６】
【数６６】
0006386445.tif 000072
【０２６７】
は下記の＜数式＞を使用して決定されることができ、
【０２６８】
【数６７】
0006386445.tif 000073
【０２６９】
ここで、
【０２７０】
【数６８】
0006386445.tif 000074
【０２７１】
は、上記非トラフィック適応的ＵＥのバンドリングウィンドウで各サブフレームでＣＣＥの番号の最大値である。
【０２７２】
また、上記ＰＵＣＣＨリソースの開始位置
【０２７３】
【数６９】
0006386445.tif 000075
【０２７４】
は、上位階層シグナリングにより提供されることができる。トラフィック適応的ＵＥ及び非トラフィック適応的ＵＥの上記ＰＵＣＣＨリソースフィールドの位置は基地局により決定される。
【０２７５】
ブロック３０３で、ＨＡＲＱ−ＡＣＫ情報は、上記マッピング手順で決定されたＰＵＣＣＨリソースで送信される。
【０２７６】
本発明は、サブフレームｎでＰＵＣＣＨリソースを２個のカテゴリーに区分し、カテゴリー１からサブフレームのＨＡＲＱ−ＡＣＫ情報をカテゴリー１のリソースに属しているフィールドにローディングし、カテゴリー２のサブフレームの全てのダウンリンクデータに対応するＨＡＲＱ−ＡＣＫ情報をスケジューリング確率の降順にＰＵＳＣＨリソースからより遠く位置しているＰＵＣＣＨリソースにマッピングされているより大きなスケジューリング確率を有するダウンリンクデータと共にカテゴリー２のリソースに属しているフィールドにマッピングする制御器を含む。カテゴリー１のリソースにローディングされる上記ＨＡＲＱ−ＡＣＫ情報は、最初のカテゴリーからのＵＥのＨＡＲＱ−ＡＣＫ情報を含み、カテゴリー２のリソースにマッピングされる上記ＨＡＲＱ−ＡＣＫ情報は、２番目のカテゴリーからのＵＥのＨＡＲＱ−ＡＣＫ情報を含み、上記最初のカテゴリーのＵＥは、上記２番目のカテゴリーのＵＥのＰＤＳＣＨ  ＨＡＲＱタイミング方式とは異なるＰＤＳＣＨ  ＨＡＲＱタイミング方式を採択し、カテゴリー１のサブフレームは、カテゴリー１のリソースにローディングされている上記ＨＡＲＱ−ＡＣＫ情報に対応するサブフレームであり、カテゴリー２のサブフレームは、カテゴリー２のリソースにローディングされている上記ＨＡＲＱ−ＡＣＫ情報に対応するサブフレームである。
【０２７７】
上記実施形態はトラフィック適応的ＵＥに適用されることができるが、トラフィック適応的ＵＥに制限されない。
【０２７８】
したがって、本発明の一実施形態による上記ＰＵＣＣＨリソースマッピング方法のプロセスが完了する。カテゴリー２のサブフレームは、スケジューリング確率の降順に分類され、上記サブフレームのＨＡＲＱ−ＡＣＫ情報は、ＰＵＳＣＨリソースからより遠く位置しているＰＵＣＣＨリソースから上記ＰＵＳＣＨリソースにより近く位置しているＰＵＣＣＨリソースのＰＵＣＣＨリソースに順次的にマッピングされる。したがって、より小さなスケジューリング確率を有するダウンリンクサブフレームのＨＡＲＱ−ＡＣＫ情報は、ＰＵＳＣＨリソースにより近くのＰＵＣＣＨリソースで送信される。より小さなスケジューリング確率を有する上記ダウンリンクサブフレームがスケジューリングされない場合、上記ＰＵＳＣＨリソースの直後に位置している上記ＰＵＣＣＨリソースは、ＰＵＳＣＨリソースとして使用されることができ、したがってチャンネルリソース使用比率が増加される。
【０２７９】
上記のような内容は、本発明の望ましい実施形態に過ぎないもので、その保護範囲を制限するように使用されない。本発明の思想及び原則に従う全て修正、等価代替物または改善などは本発明の保護範囲に含まれるだろう。
【符号の説明】
【０２８０】
２０１  アップリンクサブフレーム
２０２  ボックス
２０３、２０４、２０５  ダウンリンクサブフレーム
【図１】
0006386445.tif 000100
【図２】
0006386445.tif 000101
【図３】
0006386445.tif 000102
【図４】
0006386445.tif 000103
【図５】
0006386445.tif 000104